(57)【要約】【課題】光干渉変調器ディスプレイを照明するためのシステム及び方法。【解決手段】本方法及び装置は、遠隔光源から光干渉変調器の構造の中へ光を向けるために開示される。反射構造、散乱中心、及び蛍光材料又は燐光材料を含む、光リダイレクタが、光源から光干渉変調器の構造の中に向け光の向きを変えるために使用される。【選択図】  図７
2006099105.tif 000002
【特許請求の範囲】
【請求項１】
反射型ディスプレイ装置であって、下記を具備する：
第１の表面を有する基板；
第１の表面と反対側の前記基板の第２の表面上に配置された複数の光干渉変調器；及び
第３の表面を有するカバー、該カバーは第１の表面と第３の表面との間に存在するギャップを置いて第１の表面と光通信する位置に配置され、該カバーは複数の光リダイレクタ（redirector）を含み、該光リダイレクタは第１の表面上に向け該カバーの第３の表面上に入射する光の少なくとも一部分の向きを変えるために構成される。
【請求項２】
前記光リダイレクタは、少なくとも部分的に反射性表面である、請求項１の装置。
【請求項３】
前記光リダイレクタは、散乱中心を含む、請求項１の装置。
【請求項４】
前記光リダイレクタは、前記入射光を吸収し、そして前記入射光とは異なる波長で前記向きを変えられた光を放射する蛍光材料又は燐光材料を含む、請求項１の装置。
【請求項５】
前記入射光は、人間の眼に見えない波長を有する、請求項４の装置。
【請求項６】
前記光リダイレクタは、前記カバーの表面上に配置される、請求項１の装置。
【請求項７】
前記光リダイレクタは、前記カバーの表面の中に溝を具備する、請求項１の装置。
【請求項８】
前記光リダイレクタは、前記カバーの表面上に配置された積層内に配置される、請求項１の装置。
【請求項９】
前記第１の表面及び前記第３の表面により規定される複数の面の間に配置された光源を更に具備し、ここにおいて、前記光源は第３の表面上へ入射する前記光を供給する、請求項１の装置。
【請求項１０】
前記複数の光干渉変調器と電気的に通信するプロセッサ、前記プロセッサは画像データを処理するために構成される；及び
前記プロセッサと電気的に通信する記憶装置、
を更に具備する、請求項１の装置。
【請求項１１】
前記複数の光干渉変調器に少なくとも１つの信号を送るために構成されたドライバ回路を更に具備する、請求項１０の装置。
【請求項１２】
前記ドライバ回路に前記画像データの少なくとも一部分を送るために構成されたコントローラを更に具備する、請求項１１の装置。
【請求項１３】
前記プロセッサに前記画像データを送るために構成された画像ソース・モジュールを更に具備する、請求項１０の装置。
【請求項１４】
前記画像ソース・モジュールは、受信機、トランシーバ及び送信機の少なくとも１つを具備する、請求項１３の装置。
【請求項１５】
入力データを受信するため、及び前記プロセッサに前記入力データを通信するために構成された入力装置を更に具備する、請求項１０の装置。
【請求項１６】
反射型ディスプレイを製造する方法であって、下記を具備する：
基板の第１の表面上に複数の光干渉変調器を配置すること；
カバーの中又は上に複数の光リダイレクタを形成すること、該カバーは第２の表面を有する；及び
第２の表面と第１の表面の反対側の基板上の第３の表面との間にギャップが存在するように、複数の光干渉変調器と光通信するカバーを配置すること、光リダイレクタは第３の表面上に向け第２の表面の上に入射する光の少なくとも一部分の向きを変えるために構成される。
【請求項１７】
前記光リダイレクタは、少なくとも部分的に反射性表面である、請求項１６の方法。
【請求項１８】
前記光リダイレクタは、散乱中心を含む、請求項１６の方法。
【請求項１９】
前記光リダイレクタは、前記入射光を吸収し、そして前記入射光とは異なる波長で前記向きを変えられた光を放射する蛍光材料又は燐光材料を含む、請求項１６の方法。
【請求項２０】
前記光リダイレクタは、前記カバーの表面中に溝を具備する、請求項１６の方法。
【請求項２１】
前記光リダイレクタは、前記カバーの表面上に配置された積層内に配置される、請求項１６の方法。
【請求項２２】
請求項１６の方法により製造された反射型ディスプレイ装置。
【請求項２３】
反射型ディスプレイ装置であって、下記を具備する：
支持を与えるための手段；
干渉方式で光を変調するための手段；及び
前記支持する手段及び前記変調する手段をカバーするための手段、前記カバーする手段は前記カバーと前記支持する手段との間にギャップを置いて前記支持する手段と光通信する位置に配置され、前記カバーする手段は光の向きを変えるための手段を含み、前記光の向きを変える手段は前記支持する手段の上に向け前記カバーする手段に入射する光の少なくとも一部分の向きを変えるために構成される。
【請求項２４】
前記支持する手段は、基板を具備する、請求項２３の装置。
【請求項２５】
前記干渉方式で変調する手段は、複数の光干渉変調器を具備する、請求項２２の装置。
【請求項２６】
前記カバーする手段は、カバーを具備する、請求項２２の装置。
【請求項２７】
前記光の向きを変える手段は、光リダイレクタを具備する、請求項２２の装置。
【請求項２８】
前記支持する手段は、第１の表面を有し、及び前記変調する手段は、第１の表面と反対側の基板の第２の表面上に配置される、請求項２２の装置。
【請求項２９】
前記カバーする手段は、第３の表面を有し、及び前記ギャップは、前記第１の表面と第３の表面との間にあり、カバーする手段は、第１の表面と光通信する位置に配置される、請求項２２の装置。
【請求項３０】
前記光リダイレクタは、少なくとも部分的に反射性表面である、請求項２７の装置。
【請求項３１】
前記光リダイレクタは、散乱中心を含む、請求項２７の装置。
【請求項３２】
前記光リダイレクタは、前記入射光を吸収し、そして前記入射光とは異なる波長で前記向きを変えられた光を放射する蛍光材料又は燐光材料を含む、請求項２７の装置。
【請求項３３】
前記光リダイレクタは、前記カバーする手段の表面の中に溝を具備する、請求項２７の装置。
【請求項３４】
前記光リダイレクタは、前記カバーする手段の表面上に配置された積層内に配置される、請求項２７の装置。
【請求項３５】
反射型ディスプレイ装置であって、下記を具備する：
第１の表面を有する基板；
第１の表面と反対側の前記基板の第２の表面上に配置された複数の反射型ディスプレイ素子；及び
基板及び反射型ディスプレイ素子の中に向け前記第１の表面に斜めである経路に沿って発する光の少なくとも一部分の向きを変えるために前記基板及び反射型ディスプレイ素子と光通信する複数の光リダイレクタ。
【請求項３６】
前記反射型ディスプレイ素子は、光干渉変調器を含む、請求項３５の装置。
【請求項３７】
前記光リダイレクタは、第１の表面上に配置された膜の内部に組み込まれる、請求項３５の装置。
【請求項３８】
前記複数の反射型ディスプレイ素子と電気的に通信するプロセッサ、前記プロセッサは画像データを処理するために構成される；及び
前記プロセッサと電気的に通信する記憶装置、
を更に具備する、請求項３５の装置。
【請求項３９】
前記複数の反射型ディスプレイ素子に少なくとも１つの信号を送るために構成されたドライバ回路を更に具備する、請求項３８の装置。
【請求項４０】
前記ドライバ回路に前記画像データの少なくとも一部分を送るために構成されたコントローラを更に具備する、請求項３９の装置。
【請求項４１】
前記プロセッサに前記画像データを送るために構成された画像ソース・モジュールを更に具備する、請求項３８の装置。
【請求項４２】
前記画像ソース・モジュールは、受信機、トランシーバ及び送信機の少なくとも１つを具備する、請求項４１の装置。
【請求項４３】
入力データを受信するために、及び前記プロセッサに前記入力データを通信するために構成された入力装置を更に具備する、請求項３８の装置。
【請求項４４】
反射型ディスプレイ装置であって、下記を具備する：
反射型画像内容を供給するための手段；
供給する手段を支持するための手段；及び
供給する手段の中に向け前記支持する手段に斜めである経路に沿って発する光の向きを変えるための複数の手段。
【請求項４５】
供給する手段は、複数の反射型ディスプレイ素子である、請求項３８のディスプレイ。
【請求項４６】
反射型ディスプレイ素子は、光干渉変調器である、請求項４５のディスプレイ。
【請求項４７】
支持する手段は、基板である、請求項３８のディスプレイ。
【請求項４８】
向きを変える手段は、光リダイレクタである、請求項３８のディスプレイ。
【請求項４９】
反射型ディスプレイを製造する方法であって、下記を具備する：
基板の第１の表面上に複数の反射型ディスプレイ素子を配置すること；及び
基板及び反射型ディスプレイ素子の中に向け第１の表面と反対側の基板の第２の表面に斜めである経路に沿って発する光の少なくとも一部分の向きを変えるために前記基板及び反射型ディスプレイ素子と光通信する複数の光リダイレクタを配置すること。
【請求項５０】
請求項４９のプロセスにより製造された、反射型ディスプレイ。
【請求項５１】
反射型ディスプレイを照明する方法であって、下記を具備する：
ディスプレイ・パネルに斜めである経路に沿って反射型ディスプレイ・パネルの上に向け光を伝送させること；及び
向きを変えられた光が前記伝送された光よりも前記ディスプレイ・パネルに対して斜めの程度が少ない経路に沿って向けられるように、前記伝送された光の少なくとも一部分の向きを変えること。
【請求項５２】
前記伝送させることは、ディスプレイ・パネルに対し斜めの経路に沿って光を伝送させる光源を与えることを含む、請求項５１の方法。
【請求項５３】
反射型ディスプレイ装置であって、下記を具備する：
反射型画像内容を供給するための手段；
反射型画像を供給する手段に斜めである経路に沿って発する光の向きを変えるための手段；及び
前記向きを変える手段に光を供給するための手段。
【請求項５４】
反射型画像を供給する手段は、複数の光干渉変調器である、請求項５３の装置。
【請求項５５】
向きを変える手段は、反射型画像を供給する手段と光通信する複数の光リダイレクタである、請求項５３の装置。
【請求項５６】
光を供給する手段は、光源である、請求項５３の装置。
【請求項５７】
反射型ディスプレイ装置であって、下記を具備する：
その第１の表面上に配置された複数の反射型ディスプレイ素子を有する基板；及び
前記第１の表面と反対側の基板の第２の表面を覆って配置された第１の材料、前記第１の材料は複数の光リダイレクタを具備する。
【請求項５８】
第１の材料上に配置された第２の材料を更に具備し、ここにおいて、第２の材料は前記第１の材料とは異なる屈折率を有する、請求項５７の装置。
【請求項５９】
基板中に光を放射するために適した光源を更に具備する、請求項５７の装置。
【請求項６０】
第１の材料は、第２の材料の上に配置される、請求項５７の装置。
【請求項６１】
前記光リダイレクタは、そこから前記光源により放射された光が前記反射型ディスプレイ素子の中へ反射される第１の材料上の不均一表面により規定される、請求項５７の装置。
【請求項６２】
前記反射型ディスプレイ素子は、光干渉変調器を含む、請求項５７の装置。
【請求項６３】
光リダイレクタは、溝を具備する、請求項５７の装置。
【請求項６４】
前記複数の反射型ディスプレイ素子と電気的に通信するプロセッサ、前記プロセッサは画像データを処理するために構成される；及び
前記プロセッサと電気的に通信する記憶装置、
を更に具備する、請求項５７の装置。
【請求項６５】
前記複数の反射型ディスプレイ素子に少なくとも１つの信号を送るために構成されたドライバ回路を更に具備する、請求項６４の装置。
【請求項６６】
前記ドライバ回路に前記画像データの少なくとも一部分を送るために構成されたコントローラを更に具備する、請求項６５の装置。
【請求項６７】
前記プロセッサに前記画像データを送るために構成された画像ソース・モジュールを更に具備する、請求項６４の装置。
【請求項６８】
前記画像ソース・モジュールは、受信機、トランシーバ及び送信機の少なくとも１つを具備する、請求項６７の装置。
【請求項６９】
入力データを受信するために、及び前記プロセッサに前記入力データを通信するために構成された入力装置を更に具備する、請求項６４の装置。
【請求項７０】
反射型ディスプレイ装置であって、下記を具備する：
反射方式で表示するための手段；
支持するための手段、前記表示する手段は前記支持する手段の第１の側の上に配置される；
前記支持する手段の第２の反対側の上に配置された光の向きを変えるための手段、前記光の向きを変える手段は第１の屈折率を有する。
【請求項７１】
前記光の向きを変える手段上に第２の屈折率を与えるための手段、前記第２の屈折率は第１の屈折率とは異なる、を更に具備する、請求項７０の装置。
【請求項７２】
前記反射方式で表示する手段は、複数の反射型ディスプレイ素子を具備する、請求項７０の装置。
【請求項７３】
前記支持する手段は、基板を具備する、請求項７０の装置。
【請求項７４】
前記光の向きを変える手段は、前記第１の反射率の第１の材料を具備する複数の光リダイレクタを具備する、請求項７０の装置。
【請求項７５】
前記与える手段は、前記第２の屈折率を有する第２の材料を具備する、請求項７１の装置。
【請求項７６】
前記複数の反射型ディスプレイ素子は、前記基板の第１の表面上に配置され、及び前記第１の材料は、前記第１の表面と反対側の基板の第２の表面を覆って配置される、請求項７２の装置。
【請求項７７】
光リダイレクタは、溝を具備する、請求項７４の装置。
【請求項７８】
反射型ディスプレイを製造する方法であって、下記を具備する：
基板の第１の表面上に複数の光干渉変調器を配置すること；
前記第１の表面と反対側の基板の第２の表面を覆って第１の材料を配置すること、前記第１の材料は複数の光リダイレクタを具備する。
【請求項７９】
第１の材料上に第２の材料を配置することを更に具備し、ここにおいて、該第２の材料は前記第１の材料とは異なる屈折率を有する、請求項７８の方法。
【請求項８０】
光を基板の中に向け放射する光源を配置することを更に具備する、請求項７８の方法。
【請求項８１】
第１の材料は、基板の第２の表面上に配置される、請求項７８の方法。
【請求項８２】
光リダイレクタは、溝を具備する、請求項７８の方法。
【請求項８３】
請求項７８のプロセスにより製造された反射型ディスプレイ。
【請求項８４】
反射型ディスプレイを製造する方法であって、下記を具備する：
基板上に複数の光干渉変調器を配置すること；及び
前記光干渉変調器と光通信する複数の光リダイレクタを配置すること、該光リダイレクタは光干渉変調器の中に向け光リダイレクタ上に入射する光の少なくとも一部分の向きを変えるために構成される。
【請求項８５】
光リダイレクタは、溝を具備する、請求項８４の方法。
【請求項８６】
請求項８４又は８５の方法により製造された反射型ディスプレイ。
【請求項８７】
反射型ディスプレイを照明するためのシステムであって、下記を具備する：
反射型ディスプレイの前面に置かれるように構成され、複数の光リダイレクタを含むディスプレイ・カバー、該ディスプレイ・カバーは反射型ディスプレイの前面に面するように構成された第１の表面を有し、該第１の表面とディスプレイの前面との間にギャップがある；及び
ディスプレイ・カバーに斜めである経路に沿ってディスプレイ・カバーの第１の表面上に向け光を伝送するために構成された光源、ここにおいて、前記光リダイレクタは、反射型ディスプレイの前面上に向け入射光の少なくとも一部の向きを変えるために構成される。
【請求項８８】
前記光リダイレクタは、ディスプレイ・カバーの第１の表面上に配置される、請求項８７のシステム。
【請求項８９】
反射型ディスプレイを照明する方法であって、下記を具備する：
ディスプレイ・カバーの第１の表面上に向け該カバーに斜めである経路に沿って光を伝送すること、該ディスプレイ・カバーの第１の表面は反射型ディスプレイの第２の表面に面し、該第１の表面と第２の表面との間にギャップがある；及び
反射型ディスプレイの第２の表面の方に向けて前記伝送された光の少なくとも一部分の向きを変えること。
【請求項９０】
前記向きを変えることは、前記伝送された光を反射することを含む、請求項８９の方法。
【請求項９１】
前記向きを変えることは、前記伝送された光を散乱することを含む、請求項８９の方法。
【請求項９２】
前記向きを変えることは：
蛍光材料又は燐光材料の中に前記伝送された光を吸収すること；及び
前記蛍光材料又は燐光材料から前記吸収された光の少なくとも一部分を放射すること、
を含む、請求項８９の方法。
【請求項９３】
前記伝送することは、人間の眼には見えない波長を有する光を伝送することを含む、請求項９２の方法。
【請求項９４】
前記伝送することは、カバーに斜めの経路に沿って光を伝送する光源を与えることを含む、請求項８９の方法。
【請求項９５】
反射型ディスプレイを照明するためのシステムを製造する方法であって、下記を具備する：
カバー内に複数の光リダイレクタを形成すること、該カバーは第１の表面を有する；
第１の表面とディスプレイの前面との間にギャップを置いて反射型ディスプレイの前面にカバーを配置すること；及び
ディスプレイ・カバーに斜めである経路に沿ってディスプレイ・カバーの第１の表面上に向け光を伝送するために光源を配置すること、ここにおいて、前記光リダイレクタは、反射型ディスプレイの前面上に向け入射光の少なくとも一部分の向きを変えるために構成される。
【請求項９６】
請求項９５の方法により製造された反射型ディスプレイを照明するためのシステム。
【請求項９７】
反射型ディスプレイ・システムであって、下記を具備する：
複数の反射型ディスプレイ素子；及び
ディスプレイ素子と光通信する位置に設置された蛍光材料又は燐光材料であって、かつ前記材料が、第１の波長を有する光を吸収し、そして前記反射型ディスプレイ素子の中に向け前記第１の波長とは異なる第２の波長の光を放射するように構成される。
【請求項９８】
前記第１の波長は、人間の眼には見えない、請求項９７のシステム。
【請求項９９】
前記反射型ディスプレイ素子は、光干渉変調器を含む、請求項９７のシステム。
【請求項１００】
前記蛍光材料又は燐光材料は、２以上の異なる型の蛍光体又は燐光体を含む、請求項９７のシステム。
【請求項１０１】
前記蛍光材料又は燐光材料の一部分の表面上に配置された光を吸収する材料を更に具備する、請求項９７のシステム。
【請求項１０２】
前記光を吸収する材料は、前記第１の波長の光を吸収する、請求項１０１のシステム。
【請求項１０３】
前記光を吸収する材料は、前記第２の波長の光を吸収する、請求項１０１のシステム。
【請求項１０４】
前記第１の波長を有する光を放射する光源を更に具備する、請求項９７のシステム。
【請求項１０５】
前記光源は、ＬＥＤを含む、請求項１０４のシステム。
【請求項１０６】
前記光源は、コンパクト蛍光光源を含む、請求項１０４のシステム。
【請求項１０７】
前記複数の反射型ディスプレイ素子と電気的に通信するプロセッサ、前記プロセッサは画像データを処理するために構成される；及び
前記プロセッサと電気的に通信する記憶装置、
を更に具備する、請求項９７のシステム。
【請求項１０８】
前記複数の反射型ディスプレイ素子に少なくとも１つの信号を送るために構成されたドライバ回路を更に具備する、請求項１０７のシステム。
【請求項１０９】
前記ドライバ回路に前記画像データの少なくとも一部分を送るために構成されたコントローラを更に具備する、請求項１０８のシステム。
【請求項１１０】
前記プロセッサに前記画像データを送るために構成された画像ソース・モジュールを更に具備する、請求項１０７のシステム。
【請求項１１１】
前記画像ソース・モジュールは、受信機、トランシーバ及び送信機の少なくとも１つを具備する、請求項１１０のシステム。
【請求項１１２】
入力データを受信するために、及び前記プロセッサに前記入力データを通信するために構成された入力装置を更に具備する、請求項１０７のシステム。
【請求項１１３】
反射型ディスプレイ・システムであって、下記を具備する：
反射型画像内容を供給するための手段；
第１の波長を有する光を吸収するため、及び前記供給する手段の上に向け前記第１の波長とは異なる第２の波長を有する光を放射するための手段。
【請求項１１４】
供給する手段は、複数の反射型ディスプレイ素子を具備する、請求項１０７のシステム。
【請求項１１５】
反射型ディスプレイ素子は、光干渉変調器である、請求項１１４のシステム。
【請求項１１６】
吸収する手段は、蛍光材料又は燐光材料を具備する、請求項１０７のシステム。
【請求項１１７】
反射型ディスプレイを照明する方法であって、下記を具備する：
光の少なくとも一部分を吸収する蛍光材料又は燐光材料の上に向け該光を伝送すること；及び
反射型ディスプレイ素子の上に向け前記伝送された光とは異なる波長を有する光を前記蛍光材料又は燐光材料から放射すること。
【請求項１１８】
前記伝送された光は、人間の眼には見えない波長の光である、請求項１１７の方法。
【請求項１１９】
前記伝送することは、反射型ディスプレイ素子の非反射性表面に面する光源を供給することを含む、請求項１１７の方法。
【請求項１２０】
反射型ディスプレイ・システムを製造する方法であって、下記を具備する、
複数の反射型ディスプレイ素子と光通信する蛍光材料又は燐光材料を配置すること、ここにおいて、前記材料は、第１の波長を有する光を吸収し、そして前記反射型ディスプレイ素子の中に向け前記第１の波長とは異なる第２の波長を有する光を放射する。
【請求項１２１】
請求項１２０のプロセスにより製造された反射型ディスプレイ・システム。
【請求項１２２】
光干渉変調器ディスプレイ装置であって、下記を具備する：
そこから入射光が反射される前面を有する複数の光干渉変調器；
前記光干渉変調器の反射面を支持する少なくとも部分的に光学的に伝送可能な複数の支柱；及び
前記支柱と位置合せされた複数の光リダイレクタ。
【請求項１２３】
光干渉変調器の前面と反対側の横に配置された光源を更に具備する、請求項１２２の装置。
【請求項１２４】
その上に前記光干渉変調器が配置される基板を更に具備し、ここにおいて、前記光リダイレクタは、該基板の内部に配置される、請求項１２２の装置。
【請求項１２５】
その上に前記光干渉変調器が配置される基板を更に具備し、ここにおいて、前記光リダイレクタは、該基板の上に配置される、請求項１２２の装置。
【請求項１２６】
前記光リダイレクタは、支柱の内部に配置される、請求項１２２の装置。
【請求項１２７】
前記光リダイレクタは、少なくとも部分的に反射性表面を含む、請求項１２２の装置。
【請求項１２８】
前記光リダイレクタは、散乱中心を含む、請求項１２２の装置。
【請求項１２９】
前記光リダイレクタは、前記光源からの光を吸収し、そして前記吸収された光とは異なる波長で光を放射する蛍光材料又は燐光材料を含む、請求項１２２の装置。
【請求項１３０】
前記吸収された光は、人間の眼には見えない波長を有する、請求項１２９の装置。
【請求項１３１】
前記複数の光干渉変調器と電気的に通信するプロセッサ、前記プロセッサは画像データを処理するために構成される；及び
前記プロセッサと電気的に通信する記憶装置、
を更に具備する、請求項１２２の装置。
【請求項１３２】
前記複数の光干渉変調器に少なくとも１つの信号を送るために構成されたドライバ回路を更に具備する、請求項１３１の装置。
【請求項１３３】
前記ドライバ回路に前記画像データの少なくとも一部分を送るために構成されたコントローラを更に具備する、請求項１３２の装置。
【請求項１３４】
前記プロセッサに前記画像データを送るために構成された画像ソース・モジュールを更に具備する、請求項１３１の装置。
【請求項１３５】
前記画像ソース・モジュールは、受信機、トランシーバ及び送信機の少なくとも１つを具備する、請求項１３４の装置。
【請求項１３６】
入力データを受信するために、及び前記プロセッサに前記入力データを通信するために構成された入力装置を更に具備する、請求項１３１の装置。
【請求項１３７】
光干渉変調器ディスプレイ装置であって、下記を具備する：
反射型画像内容を供給するための手段、前記供給する手段は第１の反射するための手段及び第２の反射するための手段を具備する；
前記第１の反射する手段を支持するための手段、及び前記第１の反射する手段をギャップにより第２の反射する手段から分離するための手段、前記支持する手段は光を伝達する；及び
前記支持する手段により伝達された光の向きを変えるための手段。
【請求項１３８】
前記支持する手段に光を供給するための手段を更に具備する、請求項１３７の装置。
【請求項１３９】
画像内容を供給する手段は、複数の光干渉変調器を具備する、請求項１３７の装置。
【請求項１４０】
支持する手段は、少なくとも部分的に光学的に伝送可能な複数の支柱を具備する、請求項１３７の装置。
【請求項１４１】
第１の反射する手段及び第２の反射する手段は、反射性表面を具備する、請求項１３７の装置。
【請求項１４２】
光の向きを変える手段は、前記支持する手段と位置合せされた複数の光リダイレクタを具備する、請求項１３７の装置。
【請求項１４３】
光を供給する手段は、光源を具備する、請求項１３８の装置。
【請求項１４４】
光干渉変調器ディスプレイ装置であって、下記を具備する：
基板；
基板上に配置され、そしてそこから入射光が反射される前面を有する複数の光干渉変調器；
前記光干渉変調器の反射性表面を支持する少なくとも部分的に光学的に伝送可能な複数の支柱；及び
前記基板の上又は中に配置された複数の光リダイレクタ。
【請求項１４５】
光干渉変調器の前面と反対側の横に配置された光源を更に具備する、請求項１４４の装置。
【請求項１４６】
前記光リダイレクタは、前記支柱と位置合せされる、請求項１４４の装置。
【請求項１４７】
反射型ディスプレイを照明する方法であって、下記を具備する：
基板の中に向け少なくとも部分的に光学的に伝送可能な複数の支柱を通して光を伝送させること、ここにおいて、該支柱は、該基板上に配置された複数の光干渉変調器の反射性表面を支持する；及び
前記光干渉変調器の中に向け前記伝送された光の少なくとも一部分の向きを変えること。
【請求項１４８】
向きを変えることは、基板から向きを変えることを具備する、請求項１４７の方法。
【請求項１４９】
前記伝送することは、前記光干渉変調器の背後に光源を与えることを含む、請求項１４７の方法。
【請求項１５０】
光干渉変調器ディスプレイを製造する方法であって、下記を具備する：
複数の光干渉変調器の反射性表面を支持するために少なくとも部分的に光学的に伝送可能な複数の支柱を形成すること、該光干渉変調器はそこから入射光が反射される前面を有する；及び
前記支柱と位置合せされるように複数の光リダイレクタを配置すること。
【請求項１５１】
光干渉変調器の前面と反対側の横に光源を配置することを更に具備する、請求項１５０の方法。
【請求項１５２】
請求項１５０のプロセスにより製造されたディスプレイ。
【発明の詳細な説明】
【技術分野】
【０００１】
本発明の分野は、微小電気機械システム（microelectromechanical system）（ＭＥＭＳ）に関する。
【背景技術】
【０００２】
微小電気機械システム（ＭＥＭＳ）は、微小機械素子、アクチュエータ、及び電子機器を含む。微小機械素子は、堆積、エッチング、及び、あるいは、電気装置及び電気機械装置を形成するために基板及び／又は堆積された材料層の一部分をエッチングして取り除く、若しくは複数の層を付加するその他のマイクロマシニング・プロセスを使用して創り出されることができる。ＭＥＭＳ装置の１つのタイプは、光干渉変調器と呼ばれる。光干渉変調器は、１対の導電性プレートを具備し、その一方又は両方が、全体あるいは一部分が透明である及び／又は反射でき、そして適切な電気信号の印加により相対的動きが可能である。一方のプレートは、基板上に堆積された静止層を具備することができ、他方のプレートは、エアー・ギャップだけ静止層から分離された金属膜を具備することができる。そのような装置は、広範囲のアプリケーションを有し、これらのタイプの装置の特性を利用すること及び／又は変形することは、この技術において有益であり、その結果、自身の特徴は、既存の製品を改善することに活用されることができ、かつ未だ開発されていない新たな製品を創り出すことに活用されることができる。
【特許文献１】米国特許出願公開第２００４／００５１９２９号
【発明の開示】
【０００３】
［ある実施形態の要約］
本発明のシステム、方法、及び装置は、それぞれ複数の態様を有し、そのいずれもが、その好ましい特性に単独で寄与するのではない。本発明の範囲を制限することなく、そのより卓越した特徴が、ここに簡潔に説明される。本明細書を熟考した後で、特に“ある実施形態の詳細な説明”と題された項を読んだ後で、本発明の特徴が、その他のディスプレイ装置に対して利点をどのようにして提供するかを、理解するであろう。
【０００４】
本発明の１つの実施形態は、反射型ディスプレイ装置を具備し、本装置は下記を具備する：第１の表面を有する基板；第１の表面と反対側の前記基板の第２の表面上に配置された複数の光干渉変調器；及び第３の表面を有するカバー、そのカバーは第１の表面と第３の表面との間に存在するギャップを置いて第１の表面と光通信する位置に配置され、そのカバーは複数の光リダイレクタ（redirector）を含み、その光リダイレクタは第１の表面上に向けそのカバーの第３の表面の上に入射する光の少なくとも一部分の向きを変えるために構成される。
【０００５】
本発明の別の１つの実施形態は、反射型ディスプレイを製造する方法を具備し、本方法は下記を具備する：基板の第１の表面上に複数の光干渉変調器を配置すること；カバーの中又は上に複数の光リダイレクタを形成すること、そのカバーは第２の表面を有する；及び第２の表面と第１の表面の反対側の基板上の第３の表面との間にギャップが存在するように、複数の光干渉変調器と光通信するカバーを配置すること、光リダイレクタは第３の表面上に向け第２の表面の上に入射する光の少なくとも一部分の向きを変えるために構成される。
【０００６】
本発明の別の１つの実施形態は、反射型ディスプレイ装置を具備し、本装置は下記を具備する：支持を与えるための手段；干渉方式で光を変調するための手段；及び前記支持する手段及び前記変調する手段をカバーするための手段、前記カバーする手段はそれらの間にギャップを置いて前記支持する手段と光通信する位置に配置され、前記カバーする手段は光の向きを変えるための手段を含み、前記光の向きを変える手段は前記支持する手段の上に向け前記カバーする手段に入射する光の少なくとも一部分の向きを変えるために構成される。
【０００７】
本発明の別の１つの実施形態は、反射型ディスプレイ装置を具備し、本装置は下記を具備する：第１の表面を有する基板；第１の表面と反対側の前記基板の第２の表面上に配置された複数の反射型ディスプレイ素子；及び基板及び反射型ディスプレイ素子の中に向け前記第１の表面に斜めである経路に沿って発する光の少なくとも一部分の向きを変えるために前記基板及び反射型ディスプレイ素子と光通信する複数の光リダイレクタ。
【０００８】
本発明の別の１つの実施形態は、反射型ディスプレイ装置を具備し、本装置は下記を具備する：反射型画像内容を供給するための第１の手段；第１の手段を支持するための第２の手段；及び前記第２の手段に斜めである経路に沿って発する光を第１の手段の中へ向きを変えるための複数の第３の手段。
【０００９】
本発明の別の１つの実施形態は、反射型ディスプレイを製造する方法を具備し、本方法は下記を具備する：基板の第１の表面上に複数の反射型ディスプレイ素子を配置すること；及び基板及び反射型ディスプレイ素子の中に向け第１の表面と反対側の基板の第２の表面に斜めである経路に沿って発する光の少なくとも一部分の向きを変えるために前記基板及び反射型ディスプレイ素子と光通信する複数の光リダイレクタを配置すること。
【００１０】
本発明の別の１つの実施形態は、反射型ディスプレイを照明する方法を具備し、本方法は下記を具備する：ディスプレイ・パネルに斜めである経路に沿って反射型ディスプレイ・パネルの上に向け光を伝送させること；及び向きを変えられた光が前記伝送された光よりも前記ディスプレイ・パネルに対して斜めの程度が少ない経路に沿って向けられるように、前記伝送された光の少なくとも一部分の向きを変えること。
【００１１】
本発明の別の１つの実施形態は、反射型ディスプレイ装置を具備し、本装置は下記を具備する：反射型画像内容を供給する第１の手段；その第１の手段に斜めである経路に沿って発する光の向きを変えるための第２の手段；及び前記第２の手段に光を供給するための第３の手段。
【００１２】
本発明の別の１つの実施形態は、反射型ディスプレイ装置を具備し、本装置は下記を具備する：その第１の表面上に配置された複数の反射型ディスプレイ素子を有する基板；前記第１の表面と反対側の基板の第２の表面を覆って配置された第１の材料、前記第１の材料は複数の光リダイレクタを具備する。
【００１３】
本発明の別の１つの実施形態は、反射型ディスプレイ装置を具備し、本装置は下記を具備する：反射方式で表示するための手段；支持するための手段、前記反射方式で表示するための手段は前記支持するための手段の第１の側の上に配置される；前記支持する手段の第２の反対側の上に配置された光の向きを変えるための手段、前記光の向きを変える手段は第１の屈折率を有する。
【００１４】
本発明の別の１つの実施形態は、反射型ディスプレイを製造する方法を具備し、本方法は下記を具備する：基板の第１の表面上に複数の光干渉変調器を配置すること；前記第１の表面と反対側の基板の第２の表面を覆って第１の材料を配置すること、前記第１の材料は複数の光リダイレクタを具備する。
【００１５】
本発明の別の１つの実施形態は、反射型ディスプレイを製造する方法を具備し、本方法は下記を具備する：基板上に複数の光干渉変調器を配置すること；及び前記光干渉変調器と光通信する複数の光リダイレクタを配置すること、その光リダイレクタは光干渉変調器の中へ向け光リダイレクタ上に入射する光の少なくとも一部分の向きを変えるために構成される。
【００１６】
本発明の別の１つの実施形態は、反射型ディスプレイを照明するシステムを具備し、本システムは下記を具備する：反射型ディスプレイの前面に置かれるように構成され、複数の光リダイレクタを含むディスプレイ・カバー、そのディスプレイ・カバーは反射型ディスプレイの前面に面するように構成された第１の表面を有し、その第１の表面とディスプレイの前面との間にギャップがある；及びディスプレイ・カバーに斜めである経路に沿ってディスプレイ・カバーの第１の表面上に向け光を伝送するために構成された光源、ここにおいて、前記光リダイレクタは、反射型ディスプレイの前面上に向け入射光の少なくとも一部の向きを変えるために構成される。
【００１７】
本発明の別の１つの実施形態は、反射型ディスプレイを照明する方法を具備し、本方法は下記を具備する：光をディスプレイ・カバーの第１の表面上に向けそのカバーに斜めである経路に沿って伝送すること、そのディスプレイ・カバーの第１の表面は反射型ディスプレイの第２の表面に面し、その第１の表面とその第２の表面との間にギャップがある；及び反射型ディスプレイの第２の表面の方に向けて前記伝送された光の少なくとも一部分の向きを変えること。
【００１８】
本発明の別の１つの実施形態は、反射型ディスプレイを照明するシステムを製造する方法を具備し、本方法は下記を具備する：カバー内に複数の光リダイレクタを形成すること、そのカバーは第１の表面を有する；第１の表面とディスプレイの前面との間にギャップを置いて反射型ディスプレイの前面にカバーを配置すること；及びディスプレイ・カバーに斜めである経路に沿ってディスプレイ・カバーの第１の表面上に向け光を伝送するために光源を配置すること、ここにおいて、前記光リダイレクタは、反射型ディスプレイの前面上に向け入射光の少なくとも一部分の向きを変えるために構成される。
【００１９】
本発明の別の１つの実施形態は、反射型ディスプレイ・システムを具備し、本システムは下記を具備する：複数の反射型ディスプレイ素子；及びディスプレイ素子と光通信する位置に設置された蛍光材料又は燐光材料であって、かつ前記材料が、第１の波長を有する光を吸収し、そして前記反射型ディスプレイ素子の中に向け前記第１の波長とは異なる第２の波長の光を放射するように構成される。
【００２０】
本発明の別の１つの実施形態は、反射型ディスプレイ・システムを具備し、本システムは下記を具備する：反射型画像内容を供給するための第１の手段；及び第１の波長を有する光を吸収するため、及び前記第１の手段の上に向け前記第１の波長とは異なる第２の波長を有する光を放射するための第２の手段。
【００２１】
本発明の別の１つの実施形態は、反射型ディスプレイを照明する方法を具備し、本方法は下記を具備する：光の少なくとも一部分を吸収する蛍光材料又は燐光材料の上に向けその光を伝送すること；及び反射型ディスプレイ素子の上に向け前記伝送された光とは異なる波長を有する光を前記蛍光材料又は燐光材料から放射すること。
【００２２】
本発明の別の１つの実施形態は、反射型ディスプレイ・システムを製造する方法を具備し、本方法は下記を具備する：複数の反射型ディスプレイ素子と光通信する蛍光材料又は燐光材料を配置すること、ここにおいて、前記材料は、第１の波長を有する光を吸収し、そして、前記反射型ディスプレイ素子の中に向け前記第１の波長とは異なる第２の波長を有する光を放射する。
【００２３】
本発明の別の１つの実施形態は、光干渉変調器ディスプレイ装置を具備し、本装置は下記を具備する：そこから入射光が反射される前面を有する複数の光干渉変調器；前記光干渉変調器の反射面を支持する少なくとも部分的に光学的に伝送可能な複数の支柱；及び前記支柱と位置合せされた複数の光リダイレクタ。
【００２４】
本発明の別の１つの実施形態は、光干渉変調器ディスプレイ装置を具備し、本装置は下記を具備する：反射型画像内容を供給するための手段、前記画像内容を供給する手段は反射するための第１の手段及び第２の手段を具備する；前記第１の反射する手段を支持するための手段、及び前記第１の反射する手段をギャップにより第２の反射する手段から分離するための手段、前記支持する手段は光を伝達する；及び前記支持する手段により伝達された光の向きを変えるための手段。
【００２５】
本発明の別の１つの実施形態は、光干渉変調器ディスプレイ装置を具備し、本装置は下記を具備する：基板；基板上に配置され、そこから入射光が反射される前面を有する複数の光干渉変調器；前記光干渉変調器の反射性表面を支持する少なくとも部分的に光学的に伝送可能な複数の支柱；及び前記基板上又は中に配置された複数の光リダイレクタ。
【００２６】
本発明の別の１つの実施形態は、反射型ディスプレイを照明する方法を具備し、本方法は下記を具備する：基板の中に向け少なくとも部分的に光学的に伝送可能な複数の支柱を通して光を伝送させること、ここにおいて、その支柱は、その基板上に配置された複数の光干渉変調器の反射性表面を支持する；及び前記光干渉変調器の中に向け前記伝送された光の少なくとも一部分の向きを変えること。
【００２７】
本発明の別の１つの実施形態は、光干渉変調器ディスプレイを製造する方法を具備し、本方法は下記を具備する：複数の光干渉変調器の反射性表面を支持するために少なくとも部分的に光学的に伝送可能な複数の支柱を形成すること、その光干渉変調器はそこから入射光が反射される前面を有する；及び前記支柱と位置合せされるように複数の光リダイレクタを配置すること。
【００２８】
［ある実施形態の詳細な説明］
下記の詳細な説明は、本発明のある特定の実施形態に向けられる。しかしながら、本発明は、複数の様々な方法で具体化されることができる。この明細書では、参照符合が、図面に与えられ、全体を通して同様の部分が類似の数字を用いて表される。下記の説明から明らかになるように、本発明は、動画（例えば、ビデオ）であるか固定画面（例えば、静止画）であるかに拘わらず、及びテキストであるか画像であるかに拘わらず、画像を表示するために構成された任意の装置において実行されることができる。より詳しくは、本発明が種々の電子装置で実行される又は電子装置に関連付けられることができることが、予想される。その電子装置は、例えば、携帯電話機、無線装置、パーソナル・データ・アシスタンツ（ＰＤＡｓ）、ハンド−ヘルド又は携帯型コンピュータ、ＧＰＳ受信機／ナビゲータ、カメラ、ＭＰ３プレーヤ、カムコーダ、ゲーム・コンソール、腕時計、時計、計算機、テレビ・モニタ、フラット・パネル・ディスプレイ、コンピュータ・モニタ、自動車ディスプレイ（例えば、走行距離計ディスプレイ、等）、コクピット制御装置及び／又はディスプレイ、カメラ視野のディスプレイ（例えば、自動車の後方監視カメラのディスプレイ）、電子写真、電子広告板又は標識、プロジェクタ、建築上の構造物、包装、及び美的な構造物（例えば、宝飾品１個の画像のディスプレイ）のようなものであるが、これらに限定されない。本明細書中に説明されたものに類似の構造のＭＥＭＳ装置は、しかも、電子スイッチング装置のような、非ディスプレイ・アプリケーションにおいても使用されことができる。
【００２９】
光干渉ＭＥＭＳディスプレイ素子を具備する１つの光干渉変調器ディスプレイの実施形態が、図１に図示される。これらの装置において、画素は、明状態又は暗状態のいずれかである。明（“オン”又は“開（open）”）状態では、ディスプレイ素子は、入射可視光の大部分をユーザに反射する。暗（“オフ”又は“閉（close）”）状態にある場合は、ディスプレイ素子は、入射可視光をユーザにほとんど反射しない。実施形態に応じて、“オン”及び“オフ”状態の光反射率特性は、逆にされることがある。ＭＥＭＳ画素は、選択された色を主に反射するように構成されることができ、白黒に加えてカラー表示を可能にする。
【００３０】
図１は、視覚ディスプレイの一連の画素中の２つの隣接する画素を図示する等測図であり、ここでは、各画素は、ＭＥＭＳ光干渉変調器を具備する。複数の実施形態では、光干渉変調器ディスプレイは、これらの光干渉変調器の行／列アレイを具備する。各光干渉変調器は、互いに可変であり制御可能な距離に位置する１対の反射層を含み、少なくとも１つの可変の大きさを有する共鳴光学キャビティを形成する。１つの実施形態において、反射層の１つは、２つの位置の間を移動することができる。第１の位置では、ここではリリース状態（released state）と呼ぶ、可動層は、固定された部分反射層から比較的離れた距離に位置する。第２の位置では、可動層は、部分反射層のより近くに隣接して位置する。２つの層から反射する入射光は、可動反射層の位置に依存して、建設的に（constructively）又は相殺的に（destructively）干渉して、各画素に対して全体が反射状態又は非反射状態のいずれかを作る。
【００３１】
図１に図示された画素アレイの部分は、２つの隣接する光干渉変調器１２ａ及び１２ｂを含む。左の光干渉変調器１２ａでは、可動かつ高反射層１４ａは、固定された部分反射層１６ａから所定の距離のリリースされた位置に図示される。右の光干渉変調器１２ｂでは、可動高反射層１４ｂは、固定された部分反射層１６ｂに隣接するアクチュエートされた位置に図示される。
【００３２】
固定層１６ａ，１６ｂは、電気的に導電性であり、部分的に透明であり、部分的に反射する、そして、例えば、透明基板２０上にクロムとインジウム−スズ−酸化物のそれぞれの１層又は複数の層を堆積することにより製作されることができる。この複数の層は、平行なストライプにパターニングされ、下記にさらに説明されるようにディスプレイ装置中の行電極を形成できる。可動層１４ａ，１４ｂは、支柱１８の頂上に堆積された及び複数の支柱１８の間に堆積された介在する犠牲材料上に堆積された（行電極１６ａ，１６ｂに直交する）１層の堆積された金属層又は複数の金属層の一連の平行なストライプとして形成されることができる。犠牲材料がエッチされて除去される時に、変形可能な金属層は、決められたエアー・ギャップ１９だけ固定金属層から分離される。アルミニウムのような非常に高い導電性で反射性の材料が、変形可能層として使用されることができ、そして、これらのストライプは、ディスプレイ装置において列電極を形成できる。
【００３３】
印加電圧がないと、キャビティ１９は、複数の層１４ａ，１６ａの間にそのまま残り、変形可能層は、図１の画素１２ａに図示されたように機械的にリラックス(relax)した状態である。しかしながら、電位差が選択された行及び列に印加されると、対応する画素において行及び列電極の交差点に形成されたキャパシタは、充電され、静電力が電極を互いに引きつける。電圧が十分に高ければ、可動層は、変形され、図１に右の画素１２ｂにより図示されたように、固定層に対して押し付けられる（この図に図示されていない誘電材料が、固定層上に堆積されることがあり、短絡することを防止し、分離距離を制御する）。この動きは、印加される電位差の極性に拘わらず同じである。このようにして、反射対非反射画素状態を制御できる行／列アクチュエーションは、従来のＬＣＤ及びその他のディスプレイ技術において使用される多くの方法に類似している。
【００３４】
図２から図５Ｂは、ディスプレイ・アプリケーションにおいて光干渉変調器のアレイを使用するための１つの具体例としてのプロセス及びシステムを説明する。図２は、本発明の複数の態様を組み込むことができる電子装置の１つの実施形態を説明するシステム・ブロック図である。具体例の実施形態において、電子装置は、プロセッサ２１を含む。そのプロセッサ２１は、いずれかの汎用のシングル・チップ又はマルチ・チップ・マイクロプロセッサ、例えば、ＡＲＭ，ペンティアム（登録商標）、ペンティアムＩＩ（登録商標）、ペンティアムＩＩＩ（登録商標）、ペンティアムＩＶ（登録商標）、ペンティアム（登録商標）プロ、８０５１、ＭＩＰＳ（登録商標）、パワーＰＣ（登録商標）、ＡＬＰＨＡ（登録商標）、若しくはディジタル・シグナル・プロセッサ、マイクロコントローラ、又はプログラム可能なゲート・アレイのようないずれかの特殊用途マイクロプロセッサ、であることができる。本技術において通常であるように、プロセッサ２１は、１つ又はそれより多くのソフトウェア・モジュールを実行するように構成されることができる。オペレーティング・システムを実行することに加えて、プロセッサは、ウェブ・ブラウザ、電話アプリケーション、電子メール・プログラム、又はいずれかのその他のソフトウェア・アプリケーションを含む、１つ又はそれより多くのソフトウェア・アプリケーションを実行するように構成されることができる。
【００３５】
１つの実施形態において、プロセッサ２１は、しかも、アレイ・コントローラ２２と通信するように構成される。１つの実施形態では、アレイ・コントローラ２２は、画素アレイ３０に信号を供給する行ドライバ回路２４及び列ドライバ回路２６を含む。図１に図示されたアレイの断面は、図２に線１−１により示される。ＭＥＭＳ光干渉変調器に関して、行／列アクチュエーション・プロトコルは、図３に図示されたこれらの装置のヒステリシス特性を利用することができる。これは、可動層をリリースされた状態からアクチュエートされた状態へ変形させるために、例えば、１０ボルトの電位差を必要とすることがある。しかしながら、電圧がその値から減少される時に、１０ボルトより下に電圧が降下して戻るとしても、可動層はその状態を維持する。図３の具体例の実施形態において、可動層は、電圧が２ボルトより下に降下するまで完全にはリリースされない。そのようにして、図３に説明された例では、約３から７Ｖの電圧の範囲があり、そこでは、その範囲内で装置がリリースされた状態又はアクチュエートされた状態のいずれかで安定である、印加電圧のウィンドウが存在する。これは、ここでは“ヒステリシス・ウィンドウ”又は“安定ウィンドウ”として呼ばれる。図３のヒステリシス特性を有するディスプレイ・アレイに関して、行／列アクチュエーション・プロトコルは、行ストロービング（strobing）の期間に、アクチュエートされるべきストローブされる行の画素は、約１０ボルトの電圧差を受け、そしてリリースされるべき画素は、零ボルトに近い電圧差を受ける。ストローブの後で、画素は、約５ボルトの定常状態電圧差を受け、その結果、画素は、行ストローブが画素をどのような状態に置いたとしてもそこに留まる。書き込まれた後で、各画素は、この例では電位差が３−７ボルトの“安定ウィンドウ”の範囲内であると判断する。この特徴は、アクチュエートされた又はリリースされた既存の状態のいずれにおいて同じ印加電圧条件の下で、図１に説明された画素設計を安定にさせる。アクチュエートされた状態又はリリースされた状態であるかに拘わらず、光干渉変調器の各画素が、基本的に固定反射層と移動反射層とにより形成されたキャパシタであるので、この安定状態は、ほとんど電力消費なしにヒステリシス・ウィンドウの範囲内の電圧で保持されることができる。印加された電位が一定であるならば、基本的に電流は、画素に流れ込まない。
【００３６】
代表的なアプリケーションでは、ディスプレイ・フレームは、第１行中のアクチュエートされた画素の所望のセットにしたがって列電極のセットを明示すること（asserting）によって創り出される。行パルスは、次に行１の電極に印加されて、明示された列ラインに対応する画素をアクチュエートする。列電極の明示されたセットは、その後、第２行中のアクチュエートされた画素の所望のセットに対応するように変更される。パルスは、それから、行２の電極に印加されて、明示された列電極にしたがって行２中の適切な画素をアクチュエートする。行１画素は、行２パルスに影響されず、行１画素が行１パルスの間に設定された状態に留まる。これは、連続した方式で一連の行全体に対して繰り返され、フレームを生成する。一般に、フレームは、１秒当たり所望のフレームの数でこのプロセスを連続的に繰り返すことにより、新たなディスプレイ・データでリフレッシュされる及び／又は更新される。ディスプレイ・フレームを生成するために画素アレイの行及び列電極を駆動するための広範なプロトコルもまた、周知であり、本発明とともに使用されることができる。
【００３７】
図４、図５Ａ及び図５Ｂは、図２の３×３アレイ上でディスプレイ・フレームを創り出すための１つの可能性のあるアクチュエーション・プロトコルを説明する。図４は、図３のヒステリシス曲線を表す画素に対して使用されることができる、列及び行電圧レベルの可能性のあるセットを説明する。図４の実施形態において、画素をアクチュエートすることは、適切な列を−Ｖｂｉａｓに設定し、そして適切な行を＋？Ｖに設定することを包含する。これは、それぞれ−５Ｖ及び＋５Ｖに対応することがある。画素をリリースさせることは、適切な列を＋Ｖｂｉａｓに設定し、そして適切な行を同じ＋？Ｖに設定することにより達成され、画素を横切る零ボルトの電位差を生成する。行電圧が零ボルトに保持されるこれらの行では、列が＋Ｖｂｉａｓ又は−Ｖｂｉａｓであるかに拘らず、画素が元々あった状態がどうであろうとも、画素は、その状態で安定である。
【００３８】
図５Ｂは、そこではアクチュエートされた画素が非反射である、図５Ａに図示されたディスプレイ配置に結果としてなる図２の３×３アレイに印加される一連の行及び列信号を示すタイミング図である。図５Ａに図示されたフレームを書き込むことに先立って、画素は、任意の状態であることができ、そしてこの例では、全ての行が０ボルトであり、全ての列が＋５ボルトである。これらの印加電圧で、全ての画素は、自身の現在のアクチュエートされた状態又はリリースされた状態で安定である。
【００３９】
図５Ａのフレームでは、画素（１，１）、（１，２）、（２，２）、（３，２）及び（３，３）がアクチュエートされている。これを実現するために、行１に対する“ライン時間”の期間に、列１及び２は、−５ボルトに設定され、そして列３は、＋５ボルトに設定される。全ての画素が３−７ボルトの安定ウィンドウの中に留まるため、これは、どの画素の状態も変化させない。行１は、その後、０から５ボルトまで上がり、ゼロに戻るパルスでストローブされる。これは、（１，１）及び（１，２）画素をアクチュエートし、（１，３）画素をリリースする。アレイ中のその他の画素は、影響されない。望まれるように行２を設定するために、列２は、−５ボルトに設定され、そして列１及び３は、＋５ボルトに設定される。行２に印加された同じストローブは、次に、画素（２，２）をアクチュエートし、画素（２，１）及び（２，３）をリリースする。再び、アレイのその他の画素は、影響されない。行３は、列２及び３を−５ボルトに、そして列１を＋５ボルトに設定することより同様に設定される。行３ストローブは、図５Ａに示されたように行３画素を設定する。フレームを書き込んだ後、行電位はゼロに、そして列電位は＋５又は−５ボルトのいずれかに留まることができ、ディスプレイは、その後、図５Ａの配置で安定である。同じ手順が数十から数百の行及び列のアレイに対して採用されることができることが、歓迎される。しかも、行及び列アクチュエーションを実行するために使用される電圧のタイミング、シーケンス、及びレベルが、上記に概要を示された一般的な原理の範囲内で広範囲に変化されることができ、そして、上記の例は、具体例だけであり、任意のアクチュエーション電圧方法が、本発明とともに使用されることができる。
【００４０】
上記に説明された原理にしたがって動作する光干渉変調器の構造の詳細は、広範に変化できる。例えば、図６Ａ−図６Ｃは、移動鏡構造の３つの異なる実施形態を図示する。図６Ａは、図１の実施形態の断面であり、そこでは金属材料１４のストライプが、直角に延びている支柱１８上に堆積される。図６Ｂでは、可動反射材料１４は、連結部（tether）３２上に、角だけで支柱に取り付けられる。図６Ｃでは、可動反射材料１４は、変形可能層３４から吊り下げられる。反射材料１４に使用される構造設計及び材料が光学的特性に関して最適化されることができるため、及び変形可能層３４に使用される構造設計及び材料が所望の機械的特性に関して最適化できるため、この実施形態は、利点を有する。種々のタイプの干渉装置の製造は、例えば、米国特許出願公開第２００４／００５１９２９号を含む、種々の公開された文書に記載されている。一連の材料堆積、パターニング、及びエッチング工程を含む、多種多様の周知の技術が、上記に説明された構造を製造するために使用されることができる。
【００４１】
一般に、光干渉変調器は高度反射型、直視型、フラット・パネル・ディスプレイにおいて利用される。その高度反射型の故に、光干渉変調器は、大多数の照明環境において照明の必要がほとんどない。一般の消費者は、ほとんど周囲の照明がないある種の状態において電子ディスプレイを読むことが出来ることを期待する。その結果、ある照明形式が、一般に周囲の照明を使用する他の純粋に反射型の空間光（spatial light）変調器及び光干渉変調器のために、望まれる。
【００４２】
液晶ディスプレイ（liquid crystal display）（ＬＣＤ）で広範に使用される典型的な背面側照明技術は、純粋に反射型の空間光変調器にとって役に立たない。純粋に反射型の空間光変調器は、それを通って光が背面から前面に変調素子を照明するような方式で伝送されることが出来ない変調器である。背面照明がそこを通過してパネルの前面に出現するように、純粋に反射型の空間光変調器の複数の素子間にギャップを残すことは可能であるが、しかし、光は、実際には素子を照明せず、ディスプレイ・パネルを通る光路に沿って素子を通り抜けるので、光は、何の画像情報も含まない。かくして、反射型ディスプレイにおいて反射型ディスプレイ素子の前面に向けられた照明を供給することが、望まれる。
【００４３】
下記に更に詳細に説明されるように、本発明の種々の実施形態は、反射型ディスプレイにおける種々の位置に配置された光源からの光の向きを変えるための光リダイレクタ（redirector）を提供し、その結果、光が、反射型ディスプレイにおいて反射型ディスプレイ素子の前面上へと向けられる。
【００４４】
方向付けされた前面光
図７に図示された１つの実施形態において、方向付けされた前面光が光干渉変調器とともに利用される。前面光プレート２００は、基板３００の前表面３０２に取り付けられる。前面光プレート２００は、基板３００に直接取り付けられて示されるけれども、他の実施形態において光プレート２００は、基板３００の上方に吊るされる、又は、基板を覆う膜又は他の層に取り付けられることが出来る。
【００４５】
ＬＥＤのような光源１００は、光源１００から発せられる光２０２が前面光プレート２００に入るように、前面光プレート２００に接続される。図７に図示された実施形態において、光源１００は、前面光プレート２００の側面３０４に接続される。前面光プレート２００の構造は、光源１００から前面光プレート２００の中を通過する光２０２が素子３１０のアレイの中に向けて向きを変えられるように最適化される。図７及びそれに続く図においては光の１本の線２０２が描かれるけれども、光源１００は、所与の発散度を有する光のビームを放射し、従って前面光プレート２００全体を光で満たす。従って、素子３１０の中へと向きを変えられた光は、複数のビームから成る。好ましくは、光２０２は、出来る限り狭いビームで素子３１０のアレイの中へ向けられる。かくして、ここで使用されるように、用語“光２０２”は、光の複数のビームを表し、そして、それ等のビームの内の無数の光路の１つを図示する。
【００４６】
１つの実施形態において、光源１００により放射された光２０２は、光２０２が表面２０４に接触するまで、内部の全反射により前面光プレート２００の内部に保持され、その表面から光が基板３００を抜けそして素子３１０の中に向け反射される。この光プレート２００は、光が反射されることが出来る傾いた表面２０４を与える複数の溝２１０を具備することが出来る。都合が良いことに、光２０２は、基板３００の前表面に実質的に垂直である狭いビームで素子３１０の中へと向きを変えられることが出来る。都合が良いことに、素子３１０の中へと向きを変えられた光２０２の大部分は、素子３１０の外へ反射され、そして、溝２１０により深刻な影響を受けることなく基板３００及び光プレート２００を通って透過する。
【００４７】
１つの実施形態において、素子３１０は、光干渉変調器である。他の実施形態において、素子は、所望の波長の光を反射することが出来る他の光学装置である。前面光１００から直接光干渉変調素子３１０の中へ光２０２を向けることにより、ディスプレイの明るさは、特に限られた周辺光しかない状態において、周辺光のみの使用と比較して増大する。更に、この配置は、殆ど周辺光がない又は全く周辺光がない状態におけるディスプレイの使用を可能にする。
【００４８】
図７に図示された実施形態において、大部分の光２０２が基板３００の前表面に実質的に垂直な角度で光干渉変調素子３１０の外へ反射されるので、視野角は比較的狭い。しかしながら、溝２１０の深さと間隔を変えることにより、又は、他の構造を利用することにより、光干渉変調素子３１０の中への光２０２の入射角は、制御されることが出来る。例えば、図示されている溝２１０の傾斜面２０４の角度を変えることにより、光干渉変調器の中に向けられる光の角度は、制御されることが出来る。かくして、視野角は、制御されることが出来る。更に溝に加えて、光源１００からの光を所望の角度で素子３１０に向けて方向に変えるために、他の構造が光プレート２００において利用されることが出来ることを、当業者は、認識する。例えば、反射材料の細長片が、斜めの角度で前面光プレート２００の内部に組み込まれることが出来る。
【００４９】
溝２１０を含む前面光プレート２００は、射出成型、制御されたエッチングにより、又は、当業者に公知の他の任意のプロセスにより組み立てられることが出来る。前面光プレート２００において使用される材料は、プラスチック又はガラスのような任意の好適な透明又は部分透明材料であることが出来る。
【００５０】
１つの実施形態において、反射構造体２１０は、光が素子３１０に向けられ、複数の素子間のギャップ３２０には向けられないように間隔を置いて配置される。
【００５１】
別の１つの実施形態において、溝２１０の代わりに、反射材料の複数の線状体が、前面光プレート２００の内部又は上に配置されることが出来て、素子３１０への光の方向変換を与える。
【００５２】
１つの実施形態において、前面光プレート２００は、図７に描かれるように基板３００に対して配置されることが出来る。別の１つの実施形態において、前面光プレート２００は、プレート２００と基板３００との間にギャップがあるような位置であることが出来る。
【００５３】
光源１００は、同様に本明細書中に説明された他の光源は、本技術において公知の任意の好適な光であることが出来る。非限定的な例は、ＬＥＤ又は冷コンパクト蛍光灯（Cold Compact Fluorescent Light）のような蛍光灯を含む。
【００５４】
バックライト付き（backlit）光干渉変調器
別の１つの実施形態において、バックライトは、光干渉変調素子のアレイに光を供給するために使用される。光干渉変調器ディスプレイの機能を高めるためのバックライトの使用は、例えば、セルラ電話機のようにすでにバックライトを利用している装置において好ましいことがあり得る。
【００５５】
バックライトを利用する光干渉変調器の１実施形態が、図８Ａに図示される。バックライト１１０は、基板３００から光干渉変調器構造体と反対側に設置され、そして、その光放出面１１２が基板３００に面しそして平行になるように配向される。鏡素子３７０が、基板３００の下方に支柱４００により吊るされる。１つの実施形態においては、鏡素子３７０が不透明であるので、光は、バックライト１１０から直接光干渉変調器のキャビティ３６０の中へ進むことが出来ない。かくして、本実施形態において、支柱４００は、透明又は部分透明材料から組み立てられ、そして、光リダイレクタ４１０は、支柱４００の基板３００に最も近い端に設置される。バックライト１１０から伝送された光２０２は、支柱４００を通り抜け、そして、光干渉変調器構造体のキャビティ３６０の中へと光リダイレクタ４１０により向きを変えられる。次に、光２０２は、鏡３７０から反射し、そして、結局観察者５０の方向に基板３００を抜けて光干渉変調器構造体を出る。
【００５６】
光リダイレクタ４１０は、反射構造体、複数の散乱中心のような光散乱構造体、燐光材料又は蛍光材料、若しくは光の向きを変えるために構成された他の任意の好適な機構を含むことが出来る。透明支柱４００は、透明な酸化物又は高分子のような任意の好適な透明又は部分透明材料から構成されることが出来て、そして、無色であるか又はほのかな色を含むことが出来る。１つの有利な実施形態において、支柱４００は無色透明である。光リダイレクタ４１０は、透明支柱４００の内部の任意の所望の位置に組み込まれることが出来て、それにより、光は、光干渉変調器の中に向かって適切に向けられることが可能である。
【００５７】
図８Ａに図示されている実施形態において、光リダイレクタ４１０は、金属ピラミッドのように配置された斜めに向けられた鏡を具備する。光をキャビティ３６０の中へ反射する他の構造も、また使用されることが出来る。例えば、曲線構造は、キャビティ３６０の中へ向けてより広い反射を得るためにピラミッドの代わりに使用されることが出来る。あるいは、３角形構造は、１個の干渉キャビティの中への反射を提供することが出来る。光リダイレクタ４１０は、本技術において公知の任意のプロセスにより作られることが出来る。例えば、支柱の上方にピラミッド型のチャネルを形成することにより、そして続いてこのチャネルを反射物質で満たすことにより、構成されることが出来る。１つの実施形態において、光リダイレクタ４１０は、アルミニウムから構成される。１つの実施形態において、反射材料（例えば、アルミニウム）は、所望の形状を有する構造体上に層として堆積されることが可能である。例えば、ピラミッド形状は、シリコン又はモリブデンの制御されたエッチングと、それに続くピラミッド形状上へのアルミニウム層の堆積により形成されることが出来る。
【００５８】
それに代わる実施形態において、光リダイレクタ４１０は支柱４００ではなくて基板３００中に設置される（図８Ｂ）。図８Ｂに図示された実施形態において、基板３００中の光リダイレクタ４１０は、支柱４００の上方に位置合せされる。この場合、光２０２は、バックライト１１０から支柱４００を抜け支柱４００の真上に設置された又は基板３００上の光リダイレクタ４１０へと進む。この光は、光リダイレクタ４１０から反射されキャビティ３６０の中へ戻される。光リダイレクタ４１０は、例えば、銀メッキされた又は反射物質で埋められたガラス３００内の溝であることが出来る。１つの実施形態において、基板３００内の溝は、エッチングにより形成されることが出来、そして、溝の表面は、アルミニウムのような反射材料でコーティングされることが出来る。別の１つの実施形態において、溝は、反射粒子又は散乱粒子を含む高分子で満たされることが出来る。例えば、高分子は、スピン・コーティングにより堆積されることが出来る。
【００５９】
別の１つの実施形態において、光リダイレクタ４１０は、個々の光干渉変調素子３１０の間のギャップ３２０上方の基板３００内に配置されることが出来る。図８Ｃに図示されたように、バックライト１１０からの光２０２は、それから、光リダイレクタ４１０へと非常に小さなギャップ３２０を通り抜けることが出来る。バックライト１１０からの光２０２は、ギャップ３２０を通り抜け、そして、光リダイレクタ４１０から光干渉変調素子３１０の中へと反射される。上に説明されたように、光リダイレクタ４１０は、基板中に溝を作りそして反射材料で溝を埋めることにより形成されたダイアゴナル・ミラー（diagonal mirror）であり得る。光リダイレクタ４１０を形成する他の方法は、当業者には自明である。
【００６０】
別の１つの実施形態において、光リダイレクタ４１０は、基板３００の上方に形成される（図８Ｄ）。例えば、光リダイレクタ４１０は、基板３００の表面につけられる膜５００内に形成されることが出来る。１つの実施形態において、膜５００は散光器又は反射防止膜である。膜５００は、光リダイレクタ４１０がアレイ内の複数の素子３１０の間のギャップ３２０の真上の上方に配置されるように基板３００上に設置されることが出来る。上で説明された実施形態におけるように、光リダイレクタ４１０は、下方の光干渉変調素子３１０の中へ光を反射して戻すために働く任意の形状及び材料であることが出来る。複数の実施形態において、光リダイレクタは、膜５００の内部に置かれた散乱中心若しくは燐光材料又は蛍光材料を具備することが出来る。膜５００は、積層法、スピン・コーティング、又は他の任意の好適な手段により堆積されることが出来る。
【００６１】
代わりの実施形態において、光リダイレクタ４１０は、低密度で膜５００全体に均一に分布されることが可能である。かくして、例えば、図８Ｅを参照して、光散乱中心３２５の粉末は、膜５００全体に分布されることが出来る。ギャップ３２０又は支柱４００の上方に配置された光散乱中心３２５の部分は、バックライト１１０からの光２０２を光干渉変調素子３１０の中に向きを変えることが出来る。しかしながら、粉末３２５は膜中にまばらに分布されているので、それは光干渉変調器３１０の周辺照明をはなはだしく妨害することはない。
【００６２】
上で説明されたバックライトを利用する実施形態の各々において、光リダイレクタ４１０の特質は、例えば、ダイアゴナル・ミラーの角度を変えることにより、又は直線型鏡ではなく曲面鏡を利用することにより、所望の結果を実現するために、操作されることが出来る。例えば、反射構造の形状は、より絞られた反射ビーム又はより広がった反射ビームを供給するために変更されることが出来る。より広がった反射ビームを供給する反射構造は、より広い視野角が必要とされる場合において利用されることが出来、他方、より絞られた反射ビームを有する構造は、より限定された視野角から最大の明るさが望まれる場合において使用されることが出来る。
【００６３】
その上、実施形態の各々において、吸収材料は、上端に黒色マスクを形成するために光リダイレクタの上方に好ましくは設置されることが出来る。そのようなマスクは、コントラストを低下させる、周辺光が光リダイレクタ４１０から観察者５０に向かって反射されて戻ることを防止する。
【００６４】
カバー・ガラスの構造を介した遠隔前面照明
多くのディスプレイ・アプリケーションにおいて、カバー・ガラス又はプラスチックが、ディスプレイを保護するためにディスプレイの上方に挿入される（例えば、セル電話機におけるディスプレイを覆う表面プラスチック）。図９は、光リダイレクタ６１０が反射型ディスプレイの照明を提供するためにカバー６００上に設置されることが出来る１実施形態を描く。一般的に、エアー・ギャップ６０２が、ディスプレイの基板３００とカバー６００との間に存在する。光源１００からの光２０２は、このギャップ６０２の中の方へ及びカバー６００の底面６０４上の方に向けられることが出来る。あるいは、光２０２は、カバー６００の側面６０６に向けられることが出来る。光２０２がカバー６００の側面６０６に向けられる場合、光リダイレクタ６１０は、カバー６００の内部に設置されることが出来る。カバー６００中の又は上の光リダイレクタ６１０は、光源１００からの光２０２を基板３００の中へ、及び基板３００上に設置された光干渉変調素子３１０の中へと向きを変えるために利用されることができる。この様にして、光源１００からの光２０２の大部分は、浅い角度というよりは鋭角で素子３１０に入射する。鋭角で光干渉変調素子３１０に入射する又は出射する光は、ディスプレイ情報を有する光２０２が一般的な観察者の視線に沿って−ディスプレイに垂直に−向けられるようにする。図示された実施形態において、光の大部分が、狭い角度で光干渉変調素子の外へ反射されるので、視野角は比較的狭い。かくして、ディスプレイの明るさは、より広い視野角で急速に低下し、カラー・シフトの影響の観察を削減する、カラー・シフトは、一般的にオフ・アングル（off-angle）観測する場合光干渉変調素子から観察されることが出来る。
【００６５】
光リダイレクタ６１０は、反射構造体、散乱中心、蛍光材料又は燐光材料、又は他の任意の好適な光リダイレクタであることが出来る。反射構造の光リダイレクタの形状は、光２０２を所望の方向に向けるために選択されることが可能である。その構造的特徴は、反射型であることが出来る、又は、光干渉変調素子の中の方を含め、あらゆる方向に光を散乱させる拡散性散乱中心として働くことが出来る。その構造の形状及び深さを変えることにより、反射率が調整されることが出来る。例えば、ダイアゴナル構造は、上で議論されたように、狭いビームに沿って素子３１０の中へと光２０２の方向を向ける。しかしながら、もし曲面を持つ構造が利用されるならば（図示されない）、結果としてより広い反射ビームがもたらされる。より広い反射ビームは、例えば、より広い視野角を実現するために望まれることがある。しかしながら、オフ・アングル角によるカラー・シフトの観察を制限するためにビームの発散角を狭めることが好ましいことがある。かくして、１つの実施形態において、ビームの発散角は、視野角とカラー・シフトの少ない観察との間の最適バランスを提供するために、光リダイレクタ６１０の形状を調整することにより最適化される。当業者は、与えられた状況に対して所望の反射率を作り出すための構造の型を容易に理解する。
【００６６】
光リダイレクタ６１０は、カバー６００の底面６０４に光リダイレクタ６１０を具備する膜又はコーティングをつけることにより、カバー６００上に形成されることが出来る。かくして、光リダイレクタ６１０は、カバー６００の上の積層体内に配置されることが出来る。１つの実施形態において、光リダイレクタ６１０は、例えば、カバー６００上に構造をパターニングし、エッチングするためにフォトリソグラフィーを使用することにより、カバー６００の底面上にパターニングされることが出来る。この構造は、図９に図示されたような突起、又はカバー６００の底面６０４にエッチングされた上で説明された溝のような凹み、を含むことが出来る。１つの実施形態において、光リダイレクタ６１０は、光源１００からの光２０２が、選択的に素子３１０に向けられそして素子３１０の間のギャップ３２０には向けられないように、間隔を置いて配置される。他の実施形態において、光リダイレクタ６１０は、カバー６００上に均一に分布される。光リダイレクタ６１０は、上で説明されたようにカバー６００内に溝を形成することにより、そしてこの溝内を埋めかつ汚れと破片からそれ等を防護するために物質の層を加えることにより、カバー６００の内部にも形成されることが可能である。この様にして、光リダイレクタ６１０（例えば、溝）は、カバー６００の上表面６０５又は底面６０４の近傍の何れかに配置されることが出来る。あるいは、光リダイレクタ６１０は、例えば、カバー６００のプラスチック又はガラス内に光リダイレクタ６１０を浮かすことによるように、カバーの内部に埋め込まれることが出来る。１つの実施形態において、複数の散乱中心が、カバー６００全体に均一に分布される。
【００６７】
光源１００からの光２０２は、カバー６００の底面６０４に入射するように向けられることが出来る。かくして、光源１００は、図９に図示されたように、基板３００とカバー６００との間に配置されることが出来る。あるいは、光源１００は、基板３００の側方に又は基板３００の側方及び下方に配置されることが出来て、光２０２が依然としてカバー６００の底面に入射することを提供することが出来る。別の１つの実施形態において、光源１００は、光がカバー６００の側面６０６へと向けられるように、カバー６００の側方に又は側面上に配置されることが出来る。そのような場合には、光リダイレクタ６１０は、上に説明されたようにカバー６００の内部に配置されることができる。
【００６８】
好ましくは、光２０２は出来る限り狭いビームで素子３１０のアレイの中に向けられる。再び、光源１００からの光２０２を実質的に垂直な角度で光干渉変調素子３１０の中へ向けることにより、ディスプレイ情報を有する光２０２は、一般的な観察者の視線に沿って−ディスプレイに垂直に−向けられる。更に、ビームに対する狭い発散角は、オフ・アングル角によるカラー・シフトの観察を低下させる。
【００６９】
前面光としての基板
他の実施形態において、透明基板３００自身が前面光として利用される。この構成の詳細な実施形態が、図１０に図示される。ＬＥＤのような、光源１００が基板３００の側面３０４に取り付けられる。側面３０４を通って基板３００に入る光源１００からの光２０２は、内部全反射の結果基板３００の内部に含まれる。膜５００は、基板３００の前表面３０２上に配置される。光２０２が膜５００と基板３００との間の界面から反射しないで膜５００中に向け移動出来るように、膜５００の屈折率は、基板３００の屈折率に整合させられる。膜５００は、基板３００に対向する表面５０２内に溝５２０を含む。膜５００内で、光は溝５２０に出会い、この溝は、基板３００を通り光干渉変調素子３１０の中に向かい光２０２を下方に向ける内部反射のための表面を提供する。上で議論されたように、溝加工された前面プレートに関して、溝５２０の形状、深さ、及び間隔は、光ビーム２０２の所望の発散角、及び、従って所望の反射率の錐体を実現するために調整されることが出来る。この様にして、視野角は、特定のアプリケーションに対して必要に応じて調整されることが出来る。他の実施形態において、膜５００は、光２０２の向きを変えるために散乱中心若しくは蛍光材料又は燐光材料を具備することが出来る。膜５００は、積層法、スピン・コーティング、又は他の任意の好適な技術により堆積されることが出来る。
【００７０】
複数の実施形態において、第２の膜７００が、第１の膜５００を覆って置かれる。１つの実施形態において、第２の膜７００は、光を光干渉変調素子３１０の中へ反射するための内部反射面を提供するために、第１の膜５００の屈折率より小さな屈折率を有する。１つの有利な実施形態において、第２の膜７００の屈折率は、空気の屈折率に近い。第２の膜７００は、例えば、汚れや破片を溝に入れないことにより、第１の膜５００をそして特に溝５２０を防護する。
【００７１】
基板３００を前面光として使用する他の実施形態は、燐光材料又は蛍光材料による溝５２０の置き換えを含む。この実施形態において、光は、これ等の材料による吸収と再放射を介して向きを変えられる。代表的な場合においては、光源１００は、青色／紫外線ＬＥＤであり、そして、燐光体はこの波長の光を吸収しそして緑又は白色の光を再放射する。
【００７２】
散乱中心を有する側方照明
散乱中心は、光干渉変調器アレイの側方に設置された光源から受ける光を、光干渉変調素子の中へと向きを変えるために使用されることが出来る。散乱中心は、入射光を多くの方向に散乱させる。これ等の中心は、金属粒子のような一様でない表面を有する粒子を具備することが出来る。図１１Ａに図示された実施形態において、散乱中心８００は、基板３００の前表面３０２に取り付けられる膜５００中に置かれる。膜は積層法、スピン・コーティング、又は他の任意の好適な方法により取り付けられることが出来る。
【００７３】
ＬＥＤのような、側方光源からの光２０２は、光干渉変調素子に斜めである経路に沿って向けられ、そして散乱中心８００に衝突する。散乱中心８００から、光２０２は、多くの方向に散乱される。多数の散乱中心８００からの多重散乱は、膜５００から放射された光の方向の広範な分布を増進する。光２０２のある部分は、基板３００を通り光干渉変調素子３１０中へ向けられる。
【００７４】
他の実施形態において、散乱粒子８００は、特定の方向に光を優先的に散乱させるために好適な形状を有する。その様な粒子は、図１１Ｂに図示されたように、光源１００からの光が光干渉変調素子３１０中の方に優先的に向けられるように、光源１００及び光干渉変調素子３１０の方向に関連して位置合せされることが可能である。しかしながら、光源からの全ての光をこの素子の中の方に向けることは必ずしも必要ではない。むしろ、光源１００からの光のある部分がその素子３１０に入るように光の方向を変えるだけで十分である。
【００７５】
複数の実施形態において、角度散乱中心８００は、膜５００の内部に設置される。例えば、金属粒子又は薄片が、膜５００中に取り込まれることが出来る。他の実施形態において、表面の構造が、膜５００中に取り込まれ、この構造に当たる光を散乱させる。他の実施形態において、表面の構造は、光を散乱させる粗くされた領域である。他の実施形態において、表面の構造は、光を散乱させる幾何学的構造である。
【００７６】
図１１Ｂにおける位置合せされた散乱中心８００は、各層間に堆積された散乱物質を有する材料の連続した層を積層することにより構成されることが出来る。次に、層状にされた材料は、所望の角度で配向される縞模様に形成された散乱物質を有する材料の薄片を形成するために、所望の角度で切断されることが出来る。次に、この薄い材料は、基板３００上に積層されることが出来る。
【００７７】
あるいは、反射材料若しくは蛍光材料又は燐光材料は、散乱中心の代わりに光リダイレクタとして使用されることが出来る。
【００７８】
強調された色域
上記の種々の実施形態において議論されたように、光リダイレクタは、燐光材料又は蛍光材料を含むことが出来る。この様な材料は入射光を吸収し、そしてその後異なる周波数で光を再放射する。この特性は、反射型ディスプレイに供給された光の色域を強調するために使用されることが出来る。
【００７９】
図１２Ａに図示されたように、特定の波長の光を放射する燐光材料又は蛍光材料６３０は、基板３００の前表面３０２を覆って設置されることが出来る。燐光材料又は蛍光材料６３０は、光源１００からの光により励起される。図示された光源１００は側方照明として構成されるけれども、光源は、光が燐光材料又は蛍光材料６３０を励起できるような任意の位置に与えられることができる。例えば、光２０２を直接基板３００の中へ供給する光源１０３が、使用されることが出来る。燐光材料又は蛍光材料６３０は、光２０２からのエネルギーを吸収し、そして次に、特定の波長の光２１０’を光干渉変調素子３１０の中に放射する。一般に、燐光材料又は蛍光材料６３０からの光２１０’は、光源１００からの光２０２よりさらに狭い波長のスペクトルを持って放射され、光干渉変調器から観察者５０へ反射される光の波長のより多くの制御を与える、それ故、色のより良い制御を与える。
【００８０】
燐光材料又は蛍光材料６３０は、所望の波長の光を放射するように選択される。材料は、単一の燐光体又は蛍光体を組み合わせることが出来る、又は２以上の燐光体、蛍光体の組合せ、又は燐光体と蛍光体の混合物を具備することが出来る。１つの実施形態において、材料は、３つの異なる波長で放射する３つの異なる材料を具備する。例えば、燐光材料６３０は、赤、緑、及び青色光を狭い線で供給するために３以上の燐光体を具備できる。使用されるべき特定の燐光体及び／又は蛍光体は、所望のアプリケーションに基づいて当業者により選択されることが可能である。赤、緑及び青の可視光を放射するものを含め、様々な種類の燐光体及び蛍光体は、当業界に周知であり、そして、例えば、グローバル・トレード・アライアンス，インク．（スコッツデール市，アリゾナ州）（Global Trade Alliance, Inc. (Scottsdale, AZ)）から、商業的に入手可能である。
【００８１】
その上、光源１００は、好ましくは、所望の波長の光が放射されるように、材料６３０中の燐光体又は蛍光体の十分な励起を与えるように選択される。１つの実施形態において、光源１００は、可視光である。１つの実施形態において、光源１００は、紫外線放射源である。１つの実施形態において、光源１００は、発光ダイオード（light emitting diode）（ＬＥＤ）である。好ましくは、このＬＥＤは、青色ＬＥＤである。特別な実施形態において、ＬＥＤは、約３００ｎｍと約４００ｎｍとの間の波長を持つ光を放射する。
【００８２】
燐光材料及び／又は蛍光材料６３０は、図示されたように、基板表面に貼付された膜５００中に組み込むことにより基板３００の表面に付けられることが出来る。他の実施形態において、燐光材料は、基板の表面に直接、前表面又は裏面何れかの上に、付けられる、又は基板それ自身の中に組み込まれる。蛍光体又は燐光体は、製造の過程でガラス材料又は膜材料中に材料を浮かすことにより、ガラス基板又は膜中に組み込まれることが可能である。以前に説明されたように、薄膜は、積層法あるいはスピン・コーティングにより基板に付けられることが出来る。当業者等は、ディスプレイ中に蛍光体又は燐光体を組み込むためのその他の方法を歓迎する。
【００８３】
材料６３０が、同様に広範囲の波長の照明を供給するために選択されることが出来ることを、当業者は認識する。このようにして、ある複数の実施形態において、材料６３０は、暗い又は非常に低い周辺照明状態においてディスプレイを照明するために必要な照明を供給するために使用される。特別な実施形態において、燐光体材料６３０を励起するために使用される光源１０３は、図１２Ａに図示されたように基板３００に直接接続される。一般的な場合、光源１００／１０３は、青色／紫外線ＬＥＤであり、そして、燐光体材料６３０は、この波長の光を吸収しそして白色光を再放射する。更に別の１つの実施形態において、補助照明は、燐光体材料６３０を用いてディスプレイ筺体の内壁をコーティングすることによりもたらされる。ディスプレイ筺体（示されない）は、基板３００及び関連する光干渉変調素子３１０を保持する。この実施形態において、光源１００は、ディスプレイの正面方向よりもむしろディスプレイ筺体の壁の方向に向けられる。
【００８４】
図１２Ｂに図示された別の１つの実施形態において、光吸収性コーティング６４０は、燐光材料及び／又は蛍光材料６３０の表面の一部につけられることが出来る。例えば、コーティング６４０は、光源１００と反対側の燐光材料及び／又は蛍光材料６３０の側面に優先的につけられる。コーティング６４０は、光源１００により放射された光２０２、及び／又は燐光材料及び／又は蛍光材料６３０により放射される光２１０’を吸収することが出来る。コーティング６４０による光の吸収は、光干渉変調素子３１０のより強い指向性の照明をもたらし、それによりコントラストを改善する。例えば、コーティング６４０が、材料６３０から他の方向へ放射される光を吸収するので、コーティング６４０を有する材料６３０は、全方向に光を放射するよりもむしろ、光干渉変調素子３１０の方向にのみ光を放射できる。
【００８５】
色域は、しかもＬＥＤ線照明の使用により強調されることが可能である。この実施形態において、狭い線の単数又は複数の特定波長の光を放射する光源が利用される。光干渉変調器の構造に入射する光の波長が限定されるために、色域は強調される。加えるに、視野角による色の変化（視野角シフト）が最小にされる。１つの実施形態において、光源は、狭い線で赤、緑及び青光を放射するＬＥＤである。
【００８６】
規定された波長の光を放射する光源は、前面光源から光干渉変調器の構造の中へと光を向けるために本明細書中で説明された実施形態のいずれかとともに使用されることが出来る。例えば、単数又は複数の特定波長の光を放射するＬＥＤは、上で説明された図７、９、及び１２に図示された構成において光源１００として使用されることが出来る。
【００８７】
図１３Ａ及び図１３Ｂは、ディスプレイ装置２０４０の実施形態を説明するシステム・ブロック図である。ディスプレイ装置２０４０は、例えば、セルラ電話機又は携帯電話機である可能性がある。しかしながら、ディスプレイ装置２０４０の同じ構成要素又はそのわずかな変形は、しかも、テレビ及び携帯型メディア・プレーヤのような種々のタイプのディスプレイ装置も説明する。
【００８８】
ディスプレイ装置２０４０は、ハウジング２０４１、ディスプレイ２０３０、アンテナ２０４３、スピーカ２０４５、入力装置２０４８、及びマイクロフォン２０４６を含む。ハウジング２０４１は、一般に当業者に周知の各種の製造技術のいずれかから形成され、射出成型、及び真空形成を含む。その上、ハウジング２０４１は、プラスチック、金属、ガラス、ゴム、及びセラミックス、又はこれらの組み合わせを含むが、これらには限定されない、任意の種々の材料から形成されることができる。１つの実施形態では、ハウジング２０４１は、取り外し可能な部分（図示されず）を含み、異なる色、若しくは異なるロゴ、絵柄、又はシンボルを含むその他の取り外し可能な部分と取り替えられることができる。
【００８９】
具体例のディスプレイ装置２０４０のディスプレイ２０３０は、本明細書中に説明されたように、双安定ディスプレイを含む、種々のディスプレイのいずれかであることができる。その他の実施形態では、当業者に周知であるように、ディスプレイ２０３０は、例えば、上に説明されたような、プラズマ、ＥＬ、ＯＬＥＤ、ＳＴＮ  ＬＣＤ、又はＴＦＴ  ＬＣＤのようなフラット−パネル・ディスプレイ、若しくは、例えば、ＣＲＴ又はその他の真空管装置のような非フラット−パネル・ディスプレイを含む。しかしながら、本実施形態を説明する目的のために、ディスプレイ２０３０は、本明細書中に説明されたように、光干渉変調器ディスプレイを含む。
【００９０】
具体例のディスプレイ装置２０４０の１つの実施形態の構成要素が、図１３Ｂに模式的に図示される。図示された具体例のディスプレイ装置２０４０は、ハウジング２０４１を含み、少なくとも部分的にその中に納められた増設の構成要素を含むことができる。例えば、１つの実施形態では、具体例のディスプレイ装置２０４０は、トランシーバ２０４７に接続されたアンテナ２０４３を含むネットワーク・インターフェース２０２７を含む。トランシーバ２０４７は、プロセッサ２０２１に接続され、プロセッサ２０２１は調整ハードウェア２０５２に接続される。調整ハードウェア２０５２は、信号を調整する（例えば、信号をフィルタする）ために構成されることができる。調整ハードウェア２０５２は、スピーカ２０４５及びマイクロフォン２０４６に接続される。プロセッサ２０２１は、しかも、入力装置２０４８及びドライバ・コントローラ２０２９にも接続される。ドライバ・コントローラ２０２９は、フレーム・バッファ２０２８に接続され、そしてアレイ・ドライバ２０２２に接続される。アレイ・ドライバ２０２２は、順番にディスプレイ・アレイ２０３０に接続される。電源２０５０は、固有の具体例のディスプレイ装置２０４０設計によって必要とされるように全ての構成要素に電力を供給する。
【００９１】
ネットワーク・インターフェース２０２７は、アンテナ２０４３及びトランシーバ２０４７を含み、その結果、具体例のディスプレイ装置２０４０は、ネットワークを介して１つ又はそれより多くの装置と通信できる。１つの実施形態では、ネットワーク・インターフェース２０２７は、しかも、プロセッサ２０２１の要求を軽減させるためにある種の処理能力をも持つことができる。アンテナ２０４３は、信号を送信し受信するために当業者に公知にいずれかのアンテナである。１つの実施形態では、アンテナは、ＩＥＥＥ８０２．１１（ａ），（ｂ），又は（ｇ）を含む、ＩＥＥＥ８０２．１１規格にしたがってＲＦ信号を送信し、受信する。別の１つの実施形態では、アンテナは、ブルートゥース（BLUETOOTH）（登録商標）規格にしたがってＲＦ信号を送信し、受信する。セルラ電話機の場合には、アンテナは、ＣＤＭＡ、ＧＳＭ、ＡＭＰＳ又は無線セル電話ネットワークの内部で通信するために使用されるその他の公知の信号を受信するように設計される。トランシーバ２０４７は、アンテナ２０４３から受信された信号を事前処理し、その結果、信号がプロセッサ２０２１によって受信され、さらに操作されることができる。トランシーバ２０４７は、しかも、プロセッサ２０２１から受信された信号をも処理し、その結果、信号はアンテナ２０４３を介して具体例のディスプレイ装置２０４０から送信されることができる。
【００９２】
別の実施形態において、トランシーバ２０４７は、受信機によって置き換えられることができる。しかも他の１つの別の実施形態では、ネットワーク・インターフェース２０２７は、画像ソースによって置き換えられることができる。画像ソースは、プロセッサ２０２１に送られるべき画像データを記憶できる、又は発生できる。例えば、画像ソースは、ディジタル・ビデオ・ディスク（digital video disc）（ＤＶＤ）又は画像データを包含するハード−ディスク・ドライブ、若しくは画像データを発生するソフトウェア・モジュールであることができる。
【００９３】
プロセッサ２０２１は、一般に具体例のディスプレイ装置２０４０の総合的な動作を制御する。プロセッサ２０２１は、ネットワーク・インターフェース２０２７又は画像ソースから圧縮された画像データのようなデータを受信し、そしてデータを生の画像データに処理する、又は生の画像データに容易に処理されるフォーマットに処理する。プロセッサ２０２１は、その後、処理されたデータをドライバ・コントローラ２０２９へ送る、又は記憶のためにフレーム・バッファ２０２８へ送る。生のデータは、一般的に、画像の内部でのそれぞれの位置における画像特性を識別する情報を呼ぶ。例えば、そのような画像特性は、色彩、彩度、及びグレー・スケール・レベルを含むことができる。
【００９４】
１つの実施形態において、プロセッサ２０２１は、マイクロコントローラ、ＣＰＵ、又は論理ユニットを含み、具体例のディスプレイ装置２０４０の動作を制御する。調整ハードウェア２０５２は、一般に、スピーカ２０４５に信号を送信するために、そして、マイクロフォン２０４６から信号を受信するために、増幅器及びフィルタを含む。調整ハードウェア２０５２は、具体例のディスプレイ装置２０４０内部の独立した構成要素であることができる、若しくは、プロセッサ２０２１又はその他の構成要素の内部に組み込まれることができる。
【００９５】
ドライバ・コントローラ２０２９は、プロセッサ２０２１により発生された生の画像データをプロセッサ２０２１から直接又はフレーム・バッファ２０２８からのいずれかで取得し、そしてアレイ・ドライバ２０２２への高速送信のために生の画像データを適切に再フォーマット化する。具体的には、ドライバ・コントローラ２０２９は、生の画像データをラスタ状のフォーマットを有するデータ・フローに再フォーマット化する、その結果、データ・フローは、ディスプレイ・アレイ２０３０全体をスキャニングするために適した時間の順番を有する。それから、ドライバ・コントローラ２０２９は、フォーマット化された情報をアレイ・ドライバ２０２２へ送る。ＬＣＤコントローラのような、ドライバ・コントローラ２０２９が独立型の集積回路（Integrated Circuit）（ＩＣ）としてプロセッサ２０２１にしばしば関連付けられるけれども、そのようなコントローラは、複数の方法で与えられることができる。これらは、ハードウェアとしてプロセッサ２０２１に搭載される、ソフトウェアとしてプロセッサ２０２１に搭載される、若しくはアレイ・ドライバ２０２２を用いたハードウェアに完全に統合されることができる。
【００９６】
一般的に、アレイ・ドライバ２０２２は、フォーマット化された情報をドライバ・コントローラ２０２９から受信し、そしてビデオ・データをウェーブフォームの並列セットに再フォーマット化する。ウェーブフォームの並列セットは、ディスプレイの画素のｘ−ｙ行列から来る数百本そして時には数千本のリード線（lead）に毎秒数回適用される。
【００９７】
１つの実施形態において、ドライバ・コントローラ２０２９、アレイ・ドライバ２０２２、及びディスプレイ・アレイ２０３０は、本明細書中に説明されたいずれかのタイプのディスプレイに対して適切である。例えば、１つの実施形態では、ドライバ・コントローラ２０２９は、従来型のディスプレイ・コントローラ又は双安定ディスプレイ・コントローラ（例えば、光干渉変調器コントローラ）である。別の１つの実施形態では、アレイ・ドライバ２０２２は、従来型のドライバ又は双安定ディスプレイ・ドライバ（例えば、光干渉変調器ディスプレイ）である。１つの実施形態では、ドライバ・コントローラ２０２９は、アレイ・ドライバ２０２２と統合される。そのような実施形態は、セルラ電話機、時計、及びその他の小面積ディスプレイのような高度に集積されたシステムにおいて一般的である。さらに別の１つの実施形態では、ディスプレイ・アレイ２０３０は、典型的なディスプレイ・アレイ又は双安定ディスプレイ・アレイ（例えば、光干渉変調器のアレイを含むディスプレイ）である。
【００９８】
入力装置２０４８は、ユーザが具体例のディスプレイ装置２０４０の動作を制御することを可能にする。１つの実施形態では、入力装置２０４８は、クワーティ（QWERTY）キーボード又は電話キーパッドのようなキーパッド、ボタン、スイッチ、接触感応スクリーン、感圧又は感熱膜を含む。１つの実施形態では、マイクロフォン２０４６は、具体例のディスプレイ装置２０４０に対する入力装置である。マイクロフォン２０４６が装置にデータを入力するために使用される場合に、音声命令が、具体例のディスプレイ装置２０４０の動作を制御するためにユーザによって与えられることができる。
【００９９】
電源２０５０は、この技術において周知のように各種のエネルギー蓄積装置を含むことができる。例えば、１つの実施形態では、電源２０５０は、ニッケル−カドミウム電池又はリチウム・イオン電池のような、充電可能な電池である。別の１つの実施形態では、電源２０５０は、回復可能なエネルギー源、キャパシタ、又はプラスチック太陽電池、及びソーラー−セル塗料を含む太陽電池である。別の１つの実施形態では、電源２０５０は、壁のコンセントから電力を受け取るように構成される。
【０１００】
いくつかの方法では、制御のプログラム可能性は、上記に説明されたように、電子ディスプレイ・システム中の複数の場所に置かれることが可能であるドライバ・コントローラ中に常駐する。複数の場合では、制御のプログラム可能性は、アレイ・ドライバ２０２２中に常駐する。上記に説明された最適化が、任意の数のハードウェア及び／又はソフトウェア構成要素において及び種々の構成において実施されることができることを、当業者は、認識する。
【０１０１】
上記の発明が、ある実施形態に関して説明されてきているが、その他の実施形態は、当業者にとって明白である。さらに、他の組合せ、省略、置き換え、及び変更は、この明細書を考慮して、当業者に明白である。
【図面の簡単な説明】
【０１０２】
【図１】図１は、光干渉変調器ディスプレイの１実施形態の一部分を図示する等測図であり、そこでは、第１光干渉変調器の可動反射層は、リリースされた位置にあり、第２光干渉変調器の可動反射層は、アクチュエートされた位置にある。
【図２】図２は、３×３光干渉変調器ディスプレイを組み込んでいる電子装置の１実施形態を説明するシステム・ブロック図である。
【図３】図３は、図１の光干渉変調器の１つの具体例の実施形態に関する印加電圧に対する可動鏡位置の図である。
【図４】図４は、光干渉変調器ディスプレイを駆動するために使用されることができる行及び列電圧のセットの説明図である。
【図５Ａ】図５Ａは、図２の３×３光干渉変調器ディスプレイにおけるディスプレイ・データの１つの具体例のフレームを図示する。
【図５Ｂ】図５Ｂは、図５Ａのフレームを書き込むために使用されることができる行及び列信号に関する１つの具体例のタイミング図を図示する。
【図６Ａ】図６Ａは、図１の線６Ａ−６Ａに沿った装置の断面図である。
【図６Ｂ】図６Ｂは、図１の６Ａ−６Ａ対応する線に沿った断面図であるが、光干渉変調器の他の実施形態を説明する。
【図６Ｃ】図６Ｃは、図１の６Ａ−６Ａ対応する線に沿った断面図であるが、光干渉変調器の他の実施形態の断面図である。
【図７】図７は、光干渉変調素子の中に向け光を向けるために光プレートとともに前面光を利用する光干渉変調器アレイを模式的に図示する。
【図８Ａ】図８Ａは、バックライトを利用する光干渉変調器アレイを模式的に図示し、ここにおいて、バックライトからの光は、鏡素子を支持する支柱の中に設置された反射構造体により光干渉変調素子の中に向け反射される。
【図８Ｂ】図８Ｂは、バックライトを利用する別の１つの光干渉変調器アレイを模式的に図示し、ここにおいて、透明支柱を通り抜けるバックライトからの光は、基板自身の中に設置された反射構造体により光干渉変調素子の中に向け反射される。
【図８Ｃ】図８Ｃは、バックライトを利用する別の１つの光干渉変調器アレイを模式的に図示し、ここにおいて、アレイ中のギャップを通り抜けるバックライトからの光は、基板の中に設置された反射構造体により光干渉変調素子の中へと向けられる。
【図８Ｄ】図８Ｄは、バックライトを利用する別の１つの光干渉変調器アレイを模式的に図示し、ここにおいて、アレイ中のギャップを通り抜けるバックライトからの光は、基板の上方の膜の中に設置された反射構造体により光干渉変調素子の中へと向けられる。
【図８Ｅ】図８Ｅは、バックライトを利用する別の１つの光干渉変調器アレイを模式的に図示し、ここにおいて、透明支柱を通り抜けるバックライトからの光は、基板の上方の膜の中に設置された散乱中心により光干渉変調素子の中へと散乱される。
【図９】図９は、カバー・ガラスに取り付けられた反射構造体又は光散乱構造体を利用する光干渉変調器アレイのための前面光を模式的に図示する。
【図１０】図１０は、基板自身が前面光として利用される光干渉変調器アレイを模式的に図示する。
【図１１Ａ】図１１Ａは、光干渉変調器アレイの１実施形態を模式的に図示し、ここにおいて、角度散乱中心とともに側面照明の使用が、アレイ中の光干渉変調素子へ光を供給するために利用される。
【図１１Ｂ】図１１Ｂは、光干渉変調器アレイの１実施形態を模式的に図示し、ここにおいて、側面照明は、光干渉変調素子へ光を供給するために光源の方向に合わせられた角度散乱素子とともに使用される。
【図１２Ａ】図１２Ａは、色域を改善するために燐光材料又は蛍光材料を利用する光干渉変調器アレイを模式的に図示する。
【図１２Ｂ】図１２Ｂは、アレイに光を供給するために燐光材料又は蛍光材料を利用し、そして燐光材料又は蛍光材料の表面上に光吸収材料を含む、光干渉変調器アレイを模式的に図示する。
【図１３Ａ】図１３Ａは、複数の光干渉変調器を具備する視覚ディスプレイ装置の１実施形態を説明するシステム・ブロック図である。
【図１３Ｂ】図１３Ｂは、複数の光干渉変調器を具備する視覚ディスプレイ装置の１実施形態を説明するシステム・ブロック図である。
【符号の説明】
【０１０３】
１２…光干渉変調器，１４…可動反射層（可動鏡），１６…固定反射層（固定鏡），１８…支柱，１９…キャビティ，２０…透明基板，３０…画素アレイ，３２…連結部，
５０…観察者、１００…光源、１０３…光を直接基板の中へ供給する光源、１１０…バックライト、１１２…発光面、２００…光プレート、２０２…光、２０４…表面、２１０…溝、２１０’…蛍光又は燐光、３００…基板、３０２…基板の前表面、３０４…基板又は前面光プレートの側面、３１０…素子、３２０…素子間のギャップ、３２５…光散乱中心、３６０…キャビティ、３７０…鏡、４００…支柱、４１０…光リダイレクタ、５００…膜、５０２…基板に面する膜の表面、５２０…膜表面の溝、６００…カバー、６０２…エアー・ギャップ、６０４…カバーの底面、６０５…カバーの上表面、６０６…カバーの側面、６１０…光リダイレクタ、６３０…燐光材料又は蛍光材料、６４０…光吸収性コーティング、７００…膜５００を覆う第２の膜、８００…散乱中心、２０４０…ディスプレイ装置、２０４１…ハウジング。
【図１】
2006099105.tif 000003
【図２】
2006099105.tif 000004
【図３】
2006099105.tif 000005
【図４】
2006099105.tif 000006
【図５Ａ】
2006099105.tif 000007
【図５Ｂ】
2006099105.tif 000008
【図６Ａ】
2006099105.tif 000009
【図６Ｂ】
2006099105.tif 000010
【図６Ｃ】
2006099105.tif 000011
【図７】
2006099105.tif 000012
【図８Ａ】
2006099105.tif 000013
【図８Ｂ】
2006099105.tif 000014
【図８Ｃ】
2006099105.tif 000015
【図８Ｄ】
2006099105.tif 000016
【図８Ｅ】
2006099105.tif 000017
【図９】
2006099105.tif 000018
【図１０】
2006099105.tif 000019
【図１１Ａ】
2006099105.tif 000020
【図１１Ｂ】
2006099105.tif 000021
【図１２Ａ】
2006099105.tif 000022
【図１２Ｂ】
2006099105.tif 000023
【図１３Ａ】
2006099105.tif 000024
【図１３Ｂ】
2006099105.tif 000025
【誤訳訂正書】
【提出日】平成18年1月27日(2006.1.27)
【誤訳訂正１】
【訂正対象書類名】特許請求の範囲
【訂正対象項目名】請求項１２３
【訂正方法】変更
【訂正の内容】
【請求項１２３】
光干渉変調器の前面と反対の側に配置された光源を更に具備する、請求項１２２の装置。
【誤訳訂正２】
【訂正対象書類名】特許請求の範囲
【訂正対象項目名】請求項１４５
【訂正方法】変更
【訂正の内容】
【請求項１４５】
光干渉変調器の前面と反対の側に配置された光源を更に具備する、請求項１４４の装置。
【誤訳訂正３】
【訂正対象書類名】特許請求の範囲
【訂正対象項目名】請求項１５１
【訂正方法】変更
【訂正の内容】
【請求項１５１】
光干渉変調器の前面と反対の側に光源を配置することを更に具備する、請求項１５０の方法。
【誤訳訂正４】
【訂正対象書類名】特許請求の範囲
【訂正対象項目名】請求項２５
【訂正方法】変更
【訂正の内容】
【請求項２５】
前記干渉方式で変調する手段は、複数の光干渉変調器を具備する、請求項２３の装置。
【誤訳訂正５】
【訂正対象書類名】特許請求の範囲
【訂正対象項目名】請求項２６
【訂正方法】変更
【訂正の内容】
【請求項２６】
前記カバーする手段は、カバーを具備する、請求項２３の装置。
【誤訳訂正６】
【訂正対象書類名】特許請求の範囲
【訂正対象項目名】請求項２７
【訂正方法】変更
【訂正の内容】
【請求項２７】
前記光の向きを変える手段は、光リダイレクタを具備する、請求項２３の装置。
【誤訳訂正７】
【訂正対象書類名】特許請求の範囲
【訂正対象項目名】請求項２８
【訂正方法】変更
【訂正の内容】
【請求項２８】
前記支持する手段は、第１の表面を有し、及び前記変調する手段は、第１の表面と反対側の基板の第２の表面上に配置される、請求項２３の装置。
【誤訳訂正８】
【訂正対象書類名】特許請求の範囲
【訂正対象項目名】請求項２９
【訂正方法】変更
【訂正の内容】
【請求項２９】
前記カバーする手段は、第３の表面を有し、及び前記ギャップは、前記第１の表面と第３の表面との間にあり、カバーする手段は、第１の表面と光通信する位置に配置される、請求項２３の装置。
【誤訳訂正９】
【訂正対象書類名】特許請求の範囲
【訂正対象項目名】請求項４５
【訂正方法】変更
【訂正の内容】
【請求項４５】
供給する手段は、複数の反射型ディスプレイ素子である、請求項４４のディスプレイ。
【誤訳訂正１０】
【訂正対象書類名】特許請求の範囲
【訂正対象項目名】請求項４７
【訂正方法】変更
【訂正の内容】
【請求項４７】
支持する手段は、基板である、請求項４４のディスプレイ。
【誤訳訂正１１】
【訂正対象書類名】特許請求の範囲
【訂正対象項目名】請求項４８
【訂正方法】変更
【訂正の内容】
【請求項４８】
向きを変える手段は、光リダイレクタである、請求項４４のディスプレイ。
【誤訳訂正１２】
【訂正対象書類名】特許請求の範囲
【訂正対象項目名】請求項１１４
【訂正方法】変更
【訂正の内容】
【請求項１１４】
供給する手段は、複数の反射型ディスプレイ素子を具備する、請求項１１３のシステム。
【誤訳訂正１３】
【訂正対象書類名】特許請求の範囲
【訂正対象項目名】請求項１１６
【訂正方法】変更
【訂正の内容】
【請求項１１６】
吸収する手段は、蛍光材料又は燐光材料を具備する、請求項１１３のシステム。
【誤訳訂正１４】
【訂正対象書類名】明細書
【訂正対象項目名】００４７
【訂正方法】変更
【訂正の内容】
【００４７】
１つの実施形態において、素子３１０は、光干渉変調器である。他の実施形態において、素子は、所望の波長の光を反射することが出来る他の光学装置である。光源１００から直接光干渉変調素子３１０の中へ光２０２を向けることにより、ディスプレイの明るさは、特に限られた周辺光しかない状態において、周辺光のみの使用と比較して増大する。更に、この配置は、殆ど周辺光がない又は全く周辺光がない状態におけるディスプレイの使用を可能にする。
【誤訳訂正１５】
【訂正対象書類名】図面
【訂正対象項目名】図８Ａ
【訂正方法】変更
【訂正の内容】
【図８Ａ】
2006099105.tif 000026
【外国語明細書】
2006099105000001.pdf